(57)【特許請求の範囲】
【請求項１】
複数のトラックから構成されているデータと、このデータについての記録又は再生を管理するための管理情報が記録される記録媒体から読み出した管理情報に基づいて、上記記録媒体に記録されている最終トラックにおけるデータを再生する再生手段と、
上記再生手段によるデータ再生を停止する再生停止手段と、
上記データを表示する表示手段と、
上記再生停止手段により上記データの再生が停止されたとき当該データの再生が停止された停止位置に対応する画像データを静止状態で上記表示手段に表示させ、新たな停止位置が再設定された場合には当該新たな停止位置とデータの終端アドレスの区間のデータを繰り返して上記表示手段に表示させると共に、データの削除操作がなされた場合には上記新たな停止位置に対応する上記記録媒体上での停止位置対応アドレスに基づいて上記データの終端アドレスを決定し、当該終端アドレスに基づいて上記管理情報を更新する制御手段と、
表示画像のコマ送りを指示する操作手段と、
データを撮影する撮影手段と、
を備え、
上記制御手段は、上記再生停止手段により上記データの再生が停止されたとき当該データの再生が停止された停止位置に対応する画像データを静止状態で上記表示手段に表示させ、上記操作手段により表示画像のコマ送りが指示された場合には、当該停止位置を基点としてその前後で画像をコマ送りさせて上記表示手段に表示させた後、新たな停止位置が再設定された場合には当該新たな停止位置とデータの終端アドレスの区間のデータを繰り返して上記表示手段に表示させ、データの削除操作がなされた場合には上記新たな停止位置に対応する上記記録媒体上での停止位置対応アドレスに基づいて上記データの終端アドレスを決定し、当該終端アドレスに基づいて上記管理情報を更新し、
上記記録媒体における上記新たな停止位置に対応する終端アドレスで示される位置以降に上記撮影手段にて撮影されたデータを記録させる
データ再生装置。
【請求項２】
複数のトラックから構成されているデータと、このデータについての記録又は再生を管理するための管理情報が記録される記録媒体から読み出した管理情報に基づいて、上記記録媒体に記録されている最終トラックにおけるデータを再生する再生処理と、
上記再生処理によるデータ再生を停止する再生停止処理と、
上記データを表示手段に表示する表示処理と、
上記再生停止処理により上記データの再生が停止されたとき当該データの再生が停止された停止位置に対応する画像データを静止状態で上記表示部に表示させ、新たな停止位置が再設定された場合には当該新たな停止位置とデータの終端アドレスの区間のデータを繰り返して上記表示手段に表示させると共に、データの削除操作がなされた場合には上記新たな停止位置に対応する上記記録媒体上での停止位置対応アドレスに基づいて上記データの終端アドレスを決定し、当該終端アドレスに基づいて上記管理情報を更新する制御処理と、
表示画像のコマ送りを指示する操作処理と、
データを撮影する撮影処理と、
を備え、
上記制御処理は、上記再生停止処理により上記データの再生が停止されたとき当該データの再生が停止された停止位置に対応する画像データを静止状態で上記表示手段に表示させ、上記操作処理により表示画像のコマ送りが指示された場合には、当該停止位置を基点としてその前後で画像をコマ送りさせて上記表示手段に表示させた後、新たな停止位置が再設定された場合には当該新たな停止位置とデータの終端アドレスの区間のデータを繰り返して上記表示手段に表示させ、データの削除操作がなされた場合には上記新たな停止位置に対応する上記記録媒体上での停止位置対応アドレスに基づいて上記データの終端アドレスを決定し、当該終端アドレスに基づいて上記管理情報を更新し、
上記記録媒体における上記新たな停止位置に対応する終端アドレスで示される位置以降に上記撮影手段にて撮影されたデータを記録させる
データ再生方法。
【発明の詳細な説明】
【０００１】
【発明の属する技術分野】
本発明は、記録媒体に対して記録及び／又は再生が可能なデータ再生装置、及びこのデータ再生装置において適用されるデータ再生方法に関するものである。
【０００２】
【従来の技術】
現在、カメラ等の撮像装置と、映像及び音声の記録再生が可能なビデオデッキが一体化された可搬型のビデオカメラが広く普及している。その一般的な利用形態としては、ユーザは好みの被写体を撮影しながら録画を行うようにされる。そして、この録画された画像／音声を再生して、ビデオデッキの表示部、或いは外部モニタ装置に表示させて鑑賞するようにされる。
【０００３】
【発明が解決しようとする課題】
ところで、ビデオカメラのユーザとしては、単に撮影録画を行うだけではなく、在る程度の編集を行うことで、より価値の高い作品に仕上げたいといった要望があることは当然考えられる。
このような編集の１つとして、シーン間のつながりを考慮したシーン間編集が挙げられる。
【０００４】
ここで、撮影時において、シーン間がうまくつながるように録画を行っていくために、そのシーンの終了位置を変更したいとユーザが思ったとする。この場合には、例えばテープを記録媒体としたビデオカメラであれば、再生を行ってシーンを見ながら、その終端位置としたいところで再生を停止させるようにする。そして、この再生を停止させたテープ位置から新たなシーンを撮影しながら、先に再生停止位置より後ろに記録済みとされていたデータを消去するようにして上書き記録を行っていくようにするしかない。
また、撮影時におけるシーンの開始位置についての変更を考えた場合、変更した開始位置より前のデータを消去する必要があることになる。但し、上記のようにテープを記録媒体としたビデオカメラにあっては、変更した開始位置より前のデータを消去したとしても、テープ走行に従ってこの部分は再生されてしまう。つまり、消去部分をとばすようにしてその前後をつなげて再生することは出来ない。仮にこのような編集を行おうとすれば、パーソナルコンピュータなどに画像データを取り込んで編集を行う必要が生じ、大がかりなものとなってしまう。
【０００５】
また、例えばＭＤ（Mini Disc:ミニディスク）といわれる光磁気ディスクに対応した記録再生装置にあっては、ＭＤに記録されたオーディオデータをプログラム（トラック）単位で編集できるように構成されたものが広く知られている。このトラック単位の編集機能としては、例えばトラックの分割、結合、消去などが挙げられる。
例えばこのＭＤ記録再生装置により、例えば上記したシーンの終端位置又は開始位置の変更に準じて、トラックの終端位置又は開始位置を変更するには、先ず、そのトラックの再生を行って音声を聴きながら終端位置、又は開始位置としたいところで再生を一時停止させる。そして、先ずは、この一時停止位置にてトラックを分割するための編集操作を行って、この後、分割されたトラックのうち、何れか一方について消去を行う必要があることになる。つまり、記録データの終端位置又は開始位置を変更するには、トラック分割→トラック消去という２段階のトラック編集に関する操作手順を踏む必要がある。
【０００６】
【課題を解決するための手段】
そこで、本発明は上記した課題を考慮して、記録データの終端位置又は開始位置を変更するのにより簡略な操作で以て行えるようにすることで、例えば記録データについての編集作業がより簡易に行えるようにすることを目的とする。
【０００７】
このため、複数のトラックから構成されているデータと、このデータについての記録又は再生を管理するための管理情報が記録される記録媒体から読み出した管理情報に基づいて、上記記録媒体に記録されている最終トラックにおけるデータを再生する再生手段と、上記再生手段によるデータ再生を停止する再生停止手段と、上記データを表示する表示手段と、上記再生停止手段により上記データの再生が停止されたとき当該データの再生が停止された停止位置に対応する画像データを静止状態で上記表示手段に表示させ、新たな停止位置が再設定された場合には当該新たな停止位置とデータの終端アドレスの区間のデータを繰り返して上記表示手段に表示させると共に、データの削除操作がなされた場合には上記新たな停止位置に対応する上記記録媒体上での停止位置対応アドレスに基づいて上記データの終端アドレスを決定し、当該終端アドレスに基づいて上記管理情報を更新する制御手段と、表示画像のコマ送りを指示する操作手段と、データを撮影する撮影手段と、を備え、上記制御手段は、上記再生停止手段により上記データの再生が停止されたとき当該データの再生が停止された停止位置に対応する画像データを静止状態で上記表示手段に表示させ、上記操作手段により表示画像のコマ送りが指示された場合には、当該停止位置を基点としてその前後で画像をコマ送りさせて上記表示手段に表示させた後、新たな停止位置が再設定された場合には当該新たな停止位置とデータの終端アドレスの区間のデータを繰り返して上記表示手段に表示させ、データの削除操作がなされた場合には上記新たな停止位置に対応する上記記録媒体上での停止位置対応アドレスに基づいて上記データの終端アドレスを決定し、当該終端アドレスに基づいて上記管理情報を更新し、上記記録媒体における上記新たな停止位置に対応する終端アドレスで示される位置以降に上記撮影手段にて撮影されたデータを記録させるよう構成する。
【０００８】
また、データ再生方法として、複数のトラックから構成されているデータと、このデータについての記録又は再生を管理するための管理情報が記録される記録媒体から読み出した管理情報に基づいて、上記記録媒体に記録されている最終トラックにおけるデータを再生する再生処理と、上記再生処理によるデータ再生を停止する再生停止処理と、上記データを表示手段に表示する表示処理と、上記再生停止処理により上記データの再生が停止されたとき当該データの再生が停止された停止位置に対応する画像データを静止状態で上記表示部に表示させ、新たな停止位置が再設定された場合には当該新たな停止位置とデータの終端アドレスの区間のデータを繰り返して上記表示手段に表示させると共に、データの削除操作がなされた場合には上記新たな停止位置に対応する上記記録媒体上での停止位置対応アドレスに基づいて上記データの終端アドレスを決定し、当該終端アドレスに基づいて上記管理情報を更新する制御処理と、表示画像のコマ送りを指示する操作処理と、データを撮影する撮影処理と、を備え、上記制御処理は、上記再生停止処理により上記データの再生が停止されたとき当該データの再生が停止された停止位置に対応する画像データを静止状態で上記表示手段に表示させ、上記操作処理により表示画像のコマ送りが指示された場合には、当該停止位置を基点としてその前後で画像をコマ送りさせて上記表示手段に表示させた後、新たな停止位置が再設定された場合には当該新たな停止位置とデータの終端アドレスの区間のデータを繰り返して上記表示手段に表示させ、データの削除操作がなされた場合には上記新たな停止位置に対応する上記記録媒体上での停止位置対応アドレスに基づいて上記データの終端アドレスを決定し、当該終端アドレスに基づいて上記管理情報を更新し、上記記録媒体における上記新たな停止位置に対応する終端アドレスで示される位置以降に上記撮影手段にて撮影されたデータを記録させる。
【０００９】
また、上記データは、複数のトラックから構成されており、上記制御手段は、上記再生停止手段により上記データの再生が停止されたとき当該データの再生が停止された停止位置に対応する画像データを静止状態で上記表示手段に表示させ、新たな停止位置が再設定された場合には当該新たな停止位置と当該停止位置が含まれる所定のトラックの終端アドレスの区間のデータを繰り返して上記表示手段に表示させると共に、データの削除操作がなされた場合には上記新たな停止位置に対応する上記記録媒体上での停止位置対応アドレスに基づいて上記所定のトラックの終端アドレスを決定し、当該終端アドレスに基づいて上記管理情報を更新するよう構成する。
【００１１】
また、上記データ再生装置は、データを撮影する撮影手段をさらに備え、上記制御手段は、上記記録媒体における上記新たな停止位置に対応する終端アドレスで示される位置以降に上記撮影手段にて撮影されたデータを記録させるよう構成する。
【００１３】
【発明の実施の形態】
以下、本発明の実施の形態について説明していく。
本実施の形態の記録再生装置としては、カメラ装置部と画像（静止画又は動画）及び音声等の記録再生が可能な記録再生装置部とが一体化された可搬型のビデオカメラに搭載されている場合を例にあげる。また、本実施の形態のビデオカメラに搭載される記録再生装置部は、光磁気ディスクの一種として知られている、いわゆるミニディスクに対応してデータを記録再生する構成を採るものとされる。
説明は次の順序で行う。
１．ディスクフォーマット
２．ビデオカメラの外観構成
３．ビデオカメラの内部構成
４．メディアドライブ部の構成
５．本実施の形態に対応するディスク構造例
６．データ終端位置変更編集
６−１．動作概要１（カメラモードの場合）
６−２．動作概要２（インタビューモードの場合）
６−３．処理動作
７．トリミング編集
【００１４】
１．ディスクフォーマット
本例のビデオカメラに搭載される記録再生装置部は、ミニディスク（光磁気ディスク）に対応してデータの記録／再生を行う、ＭＤデータといわれるフォーマットに対応しているものとされる。このＭＤデータフォーマットとしては、ＭＤ−ＤＡＴＡ１とＭＤ−ＤＡＴＡ２といわれる２種類のフォーマットが開発されているが、本例のビデオカメラは、ＭＤ−ＤＡＴＡ１よりも高密度記録が可能とされるＭＤ−ＤＡＴＡ２のフォーマットに対応して記録再生を行うものとされている。そこで、先ずＭＤ−ＤＡＴＡ２のディスクフォーマットについて説明する。
【００１５】
図１及び図２は、ＭＤ−ＤＡＴＡ２としてのディスクのトラック構造例を概念的に示している。図２（ａ）（ｂ）は、それぞれ図１の破線Ａで括った部分を拡大して示す断面図及び平面図である。
これらの図に示すように、ディスク面に対してはウォブル（蛇行）が与えられたウォブルドグルーブＷＧと、ウォブルが与えられていないノンウォブルドグルーブＮＷＧとの２種類のグルーブ（溝）が予め形成される。そして、これらウォブルドグルーブＷＧとノンウォブルドグルーブＮＷＧは、その間にランドＬｄを形成するようにしてディスク上において２重のスパイラル状に存在する。
【００１６】
ＭＤ−ＤＡＴＡ２フォーマットでは、ランドＬｄが記録トラック（データが記録されるトラック）として利用されるのであるが、上記のようにしてウォブルドグルーブＷＧとノンウォブルドグルーブＮＷＧが形成されることから、記録トラックとしてもトラックＴｒ・Ａ，Ｔｒ・Ｂの２つのトラックがそれぞれ独立して、２重のスパイラル（ダブルスパイラル）状に形成されることになる。
トラックＴｒ・Ａは、ディスク外周側にウォブルドグルーブＷＧが位置し、ディスク内周側にノンウォブルドグルーブＮＷＧが位置するトラックとなる。
これに対してトラックＴｒ・Ｂは、ディスク内周側にウォブルドグルーブＷＧが位置し、ディスク外周側にノンウォブルドグルーブＮＷＧが位置するトラックとなる。
つまり、トラックＴｒ・Ａに対してはディスク外周側の片側のみにウォブルが形成され、トラックＴｒ・Ｂとしてはディスク内周側の片側のみにウォブルが形成されるようにしたものとみることができる。
この場合、トラックピッチは、互いに隣接するトラックＴｒ・ＡとトラックＴｒ・Ｂの各センター間の距離となり、図２（ｂ）に示すようにトラックピッチは０．９５μｍとされている。
【００１７】
ここで、ウォブルドグルーブＷＧとしてのグルーブに形成されたウォブルは、ディスク上の物理アドレスがＦＭ変調＋バイフェーズ変調によりエンコードされた信号に基づいて形成されているものである。このため、記録再生時においてウォブルドグルーブＷＧに与えられたウォブリングから得られる再生情報を復調処理することで、ディスク上の物理アドレスを抽出することが可能となる。
また、ウォブルドグルーブＷＧとしてのアドレス情報は、トラックＴｒ・Ａ，Ｔｒ・Ｂに対して共通に有効なものとされる。つまり、ウォブルドグルーブＷＧを挟んで内周に位置するトラックＴｒ・Ａと、外周に位置するトラックＴｒ・Ｂは、そのウォブルドグルーブＷＧに与えられたウォブリングによるアドレス情報を共有するようにされる。
なお、このようなアドレッシング方式はインターレースアドレッシング方式ともいわれる。このインターレースアドレッシング方式を採用することで、例えば、隣接するウォブル間のクロストークを抑制した上でトラックピッチを小さくすることが可能となるものである。また、グルーブに対してウォブルを形成することでアドレスを記録する方式については、ＡＤＩＰ(Adress In Pregroove) 方式ともいう。
【００１８】
また、上記のようにして同一のアドレス情報を共有するトラックＴｒ・Ａ，Ｔｒ・Ｂの何れをトレースしているのかという識別は次のようにして行うことができる。
例えば３ビーム方式を応用し、メインビームがトラック（ランドＬｄ）をトレースしている状態では、残る２つのサイドビームは、上記メインビームがトレースしているトラックの両サイドに位置するグルーブをトレースしているようにすることが考えられる。
【００１９】
図２（ｂ）には、具体例として、メインビームスポットＳＰｍがトラックＴｒ・Ａをトレースしている状態が示されている。この場合には、２つのサイドビームスポットＳＰｓ１，ＳＰｓ２のうち、内周側のサイドビームスポットＳＰｓ１はノンウォブルドグルーブＮＷＧをトレースし、外周側のサイドビームスポットＳＰｓ２はウォブルドグルーブＷＧをトレースすることになる。
これに対して、図示しないが、メインビームスポットＳＰｍがトラックＴｒ・Ｂをトレースしている状態であれば、サイドビームスポットＳＰｓ１がウォブルドグルーブＷＧをトレースし、サイドビームスポットＳＰｓ２がノンウォブルドグルーブＮＷＧをトレースすることになる。
このように、メインビームスポットＳＰｍが、トラックＴｒ・Ａをトレースする場合とトラックＴｒ・Ｂをトレースする場合とでは、サイドビームスポットＳＰｓ１，ＳＰｓ２がトレースすべきグルーブとしては、必然的にウォブルドグルーブＷＧとノンウォブルドグルーブＮＷＧとで入れ替わることになる。
【００２０】
サイドビームスポットＳＰｓ１，ＳＰｓ２の反射によりフォトディテクタにて得られる検出信号としては、ウォブルドグルーブＷＧとノンウォブルドグルーブＮＷＧの何れをトレースしているのかで異なる波形が得られることから、上記検出信号に基づいて、例えば、現在サイドビームスポットＳＰｓ１，ＳＰｓ２のうち、どちらがウォブルドグルーブＷＧ（あるいはノンウォブルドグルーブＮＷＧ）をトレースしているのかを判別することにより、メインビームがトラックＴｒ・Ａ，Ｔｒ・Ｂのどちらをトレースしているのかが識別できることになる。
【００２１】
図３は、上記のようなトラック構造を有するＭＤ−ＤＡＴＡ２フォーマットのの主要スペックをＭＤ−ＤＡＴＡ１フォーマットと比較して示す図である。
先ず、ＭＤ−ＤＡＴＡ１フォーマットとしては、トラックピッチは１．６μｍ、ピット長は０．５９μｍ／ｂｉｔとなる。また、レーザ波長λ＝７８０ｎｍとされ、光学ヘッドの開口率ＮＡ＝０．４５とされる。
記録方式としては、グルーブ記録方式を採っている。つまり、グルーブをトラックとして記録再生に用いるようにしている。
アドレス方式としては、シングルスパイラルによるグルーブ（トラック）を形成したうえで、このグルーブの両側に対してアドレス情報としてのウォブルを形成したウォブルドグルーブを利用する方式を採るようにされている。
【００２２】
記録データの変調方式としてはＥＦＭ（８−１４変換）方式を採用している。また、誤り訂正方式としてはＡＣＩＲＣ(Advanced Cross Interleave Reed-Solomon Code) が採用され、データインターリーブには畳み込み型を採用している。このため、データの冗長度としては４６．３％となる。
【００２３】
また、ＭＤ−ＤＡＴＡ１フォーマットでは、ディスク駆動方式としてＣＬＶ(Constant Linear Verocity)が採用されており、ＣＬＶの線速度としては、１．２ｍ／ｓとされる。
そして、記録再生時の標準のデータレートとしては、１３３ｋＢ／ｓとされ、記録容量としては、１４０ＭＢとなる。
【００２４】
これに対して、本例のビデオカメラが対応できるＭＤ−ＤＡＴＡ２フォーマットとしては、トラックピッチは０．９５μｍ、ピット長は０．３９μｍ／ｂｉｔとされ、共にＭＤ−ＤＡＴＡ１フォーマットよりも短くなっていることが分かる。そして、例えば上記ピット長を実現するために、レーザ波長λ＝６５０ｎｍ、光学ヘッドの開口率ＮＡ＝０．５２として、合焦位置でのビームスポット径を絞ると共に光学系としての帯域を拡げている。
【００２５】
記録方式としては、図１及び図２により説明したように、ランド記録方式が採用され、アドレス方式としてはインターレースアドレッシング方式が採用される。また、記録データの変調方式としては、高密度記録に適合するとされるＲＬＬ（１，７）方式（ＲＬＬ；Run Length Limited）が採用され、誤り訂正方式としてはＲＳ−ＰＣ方式、データインターリーブにはブロック完結型が採用される。そして、上記各方式を採用した結果、データの冗長度としては、１９．７％にまで抑制することが可能となっている。
【００２６】
ＭＤ−ＤＡＴＡ２フォーマットにおいても、ディスク駆動方式としてはＣＬＶが採用されるのであるが、その線速度としては２．０ｍ／ｓとされ、記録再生時の標準のデータレートとしては５８９ｋＢ／ｓとされる。そして、記録容量としては６５０ＭＢを得ることができ、ＭＤ−ＤＡＴＡ１フォーマットと比較した場合には、４倍強の高密度記録化が実現されたことになる。
例えば、ＭＤ−ＤＡＴＡ２フォーマットにより動画像の記録を行うとして、動画像データについてＭＰＥＧ２による圧縮符号化を施した場合には、符号化データのビットレートにも依るが、時間にして１５分〜１７分の動画を記録することが可能とされる。また、音声信号データのみを記録するとして、音声データについてＡＴＲＡＣ(Adaptve Transform Acoustic Coding) ２による圧縮処理を施した場合には、時間にして１０時間程度の記録を行うことができる。
【００２７】
２．ビデオカメラの外観構成
次に本例のビデオカメラの外観例について説明しておく。
図６（ａ）（ｂ）、図７（ａ）（ｂ）は、それぞれ、本例のビデオカメラの平面図、側面図、正面図、背面図である。
これらの図に示すように、本例のビデオカメラの本体２００の正面部には、撮影を行うための撮像レンズや絞りなどを備えたカメラレンズ２０１が表出するようにして設けられる。また、同じ本体２００の背面部下側には、撮影時において外部の音声を収音するためのマイクロフォン２０２が設けられている。つまり、このビデオカメラでは、カメラレンズ２０１により撮影した画像の録画と、マイクロフォン２０２により収音したステレオ音声の録音を行うことが可能とされている。また、ここでは、マイクロフォン２０２と同じ位置に再生音声を出力するためのスピーカ２０５も備えられているものとしている。また、スピーカ２０５からはビープ音等による所要のメッセージ音も出力される。
【００２８】
また、本体２００の背面側には、ビューファインダ２０４が設けられており、記録動作中及びスタンバイ中等においては、カメラレンズ２０１から取り込まれる画像（スルー画ともいう）及びキャラクタ画像等が表示される。ユーザーはこのビューファインダ２０４をみながら撮影を行うことができる。
また、後述するメインダイヤル３００、レリーズキー３０１、削除キー３０２が設けられた部位は電池蓋部２０６として開閉可能となっており、この電池蓋部２０６を開くことで、バッテリ（充電池）を装脱することが可能となっている。
【００２９】
また、本体２００の側面側には、可動パネル部２０３が備えられている。この可動支持部２０８によって支持されていることで、本体２００に対して可動可能に取り付けられている。この可動パネル部２０３の動きについては後述する。
【００３０】
また、可動パネル部２０３の背面側には表示パネル６７（表示画面）が設けられている。従って、図６（ｂ）に示すように可動パネル部２０３が収納状態にあるときは、表示パネル６７は本体側に向いて格納される状態となる。
【００３１】
表示パネル６７は、撮影画像、及び内部の記録再生装置により再生された画像等を表示出力するための部位とされる。また、機器の動作に応じて所要のメッセージをユーザに知らせるための文字やキャラクタ等によるメッセージ表示等も行われる。なお、この表示パネル６７として実際に採用する表示デバイスは、ここでは特に限定されるものではないが、例えば液晶ディスプレイ等が用いられればよい。
また、表示パネル６７は、例えば液晶ディスプレイの表示面の背面側に対して、押圧操作を関知してこれを操作情報として出力するタッチパネルが設けられている。つまり、本実施の形態にあっては、表示パネル６７に表示された画像に対して押圧操作を行う、いわゆるＧＵＩとしての操作が可能とされる。
ここで、表示パネル６７に対する操作としては、タッチパネルに対して押圧力が加わった位置を座標位置情報として検知する構成とされていることから、指などによって操作されてもよいのものとされる。しかし、表示パネル６７の表示面積に制限があって、そのポインティングの操作も指では困難な場合があることを考慮して、図６（ｂ）に示すように、スティック形状のペン３２０が添え付けされる。ユーザは、指の代わりにこのペン３２０を使用して表示パネル６７に対するポインティング（タッチ）操作を行うことができる。
【００３２】
また、可動パネル部２０３が収納される本体部２００側の部位がディスク装脱部２０５となっており、このディスク装脱部２０５において、本例のビデオカメラが対応する記録媒体としてのディスクを挿入、あるいは排出させることができる。
【００３３】
また、ここでは図示していないが、実際には、外部の映像機器に対して再生画像信号等を出力するビデオ出力端子や、外部の音声機器やヘッドホンに対して再生音声信号を出力するヘッドフォン／ライン端子等が設けられている。また、外部のデータ機器とデータ伝送を行うためのインターフェイス機能に対応してＩ／Ｆ端子等も設けられている。
【００３４】
さらに、本体２００の各部には、ユーザー操作のための各種の操作子が設けられる。以下、主要となる各操作子について説明する。
メインダイヤル３００は、図７（ｂ）に示されるようにして本体２００の背面側に設けられ、ビデオカメラのオン／オフ、記録動作、再生動作を設定する操作子とされる。この場合には、回転操作が行えるものとなっている。
メインダイヤル３００が電源オフ位置ＰＳ２にある場合には電源がオフの状態にある。そして、例えばこの状態からメインダイヤル３００を再生／編集位置ＰＳ１に回転操作すれば、電源オンの状態となって、録画ファイルの再生や、各種編集操作が可能なモード状態となる。また、カメラモード位置ＰＳ２に回転操作を行えば、電源オンの状態で、動画、又は静止画としての録画ファイルを記録可能なモード（カメラモード）となる。更に、カメラモード位置ＰＳ２とすれば、インタビューモードとなる。
インタビューモードとは、ここでは詳しい説明は省略するが、記録動作としては、音声主体で記録を行って、任意の時点で、後述するレリーズキー３０１又はフォトキー３０４を押圧操作すれば、その時点で撮影されている画像を静止画として記録するモードである。そして、インタビューモードの再生では、このインタビューモードによって記録された録画ファイルを再生するものである。このときには、例えば音声を再生しながら記録時のタイミングで、静止画を切り換えるようにして表示させていく。
【００３５】
また、メインダイヤル３００の回転部中央には、レリーズキー３０１が備えられる。
このレリーズキー３０１は、カメラモード又はインタビューモードにある状態で記録開始／終了のための操作子として機能するものである。
【００３６】
また、本体２００背面部にはジョグダイヤル３０３も設けられる。ジョグダイヤル３０３は、円盤状の操作子とされ、正／逆方向に回転操作可能に取り付けられていると共に、所定の回転角度ごとにクリック感が得られるようになっている。このジョグダイヤル３０３は、例えば実際には、例えば２相式のロータリエンコーダなどと組み合わされることで、例えば１クリックが１回転ステップとなるようにして、その回転方向と回転角度に対応した回転ステップ数の情報を出力する。
また、この場合のジョグダイヤル３１１は、図７（ｂ）の左方向に対して押圧操作が行えるようにもなっている。
【００３７】
削除キー３０２は、所定のモードで再生されているデータについて、削除を行うための決定キーとして機能する。
【００３８】
また、主としては図６（ａ）に示されるように、本体２００側面部においてはやや上向きの状態でフォトキー３０４、ズームキー３０５，フォーカスキー３０６，及び逆光補正キー３０７が備えられる。
フォトキー３０４は、例えばカメラモードの状態で押圧操作することで静止画の録画ファイルを記録するためのシャッターとして機能する操作子である。
【００３９】
ズームキー３０５は、レンズ光学系（カメラレンズ２０１）におけるズーム状態（テレ側〜ワイド側）を操作する操作子である。
フォーカスキー３０６は、レンズ光学系のフォーカス状態（例えばノーマル／無限など）を切り換えるための操作子である。
逆光補正キー３０７は、逆光補正機能をオン／オフするための操作子である。
【００４０】
また、図６（ｂ）に示すようにして、可動パネル部２０３が配置される側の本体２００側面部には、主としてファイル（トラック）の記録再生に関するキーとして、再生／ポーズキー３０８、停止キー３０９、スロー再生キー３１０、サーチキー３１１，３１２、録音キー３１３が設けられる。
また、図６（ａ）に示すように、本体２００の上面部には、画面表示のための画面表示キー３１４と、スピーカからの出力音声の音量調節のための音量キー３１５，３１６が設けられる。
【００４１】
なお、上記図６及び図７に示すビデオカメラの外観はあくまでも一例であって、実際に本例のビデオカメラに要求される使用条件等に応じて適宜変更されて構わないものである。もちろん操作子の種類や操作方式、さらに外部機器との接続端子類などは各種多様に考えられる。
【００４２】
また、図８により、先に述べた可動パネル部２０３の動き方について説明しておく。なお、図８にあっては、説明の便宜上、ビデオカメラの外観は簡略化して示している。
可動パネル部２０３の動きとしては、先ず、図６（ｂ）に示した位置状態から図８（ａ）に示すようにして矢印ＹＪ１の方向に沿って引き起こすようにしてその位置状態を変えることができるようになっている。
この場合、表示画面（表示パネル６７）は撮影者（ビューファインダ２０４）側に向くようにされ、撮像画像を捉えるカメラレンズ２０１とはほぼ対向する方向を向くことになる。この表示パネルの位置状態では、例えばビデオカメラを所持する撮影者が表示パネル６７に表示された撮像画像をモニタしながら撮影（録画）を行うことができる。
【００４３】
また、上記図８（ａ）に示す状態から矢印ＹＪ２の方向に沿って約１８０°程度の範囲で可動パネル部２０３を回転させることができるようになっている。つまり、図８（ｂ）に示すようにして、表示パネル６７が被写体（カメラレンズ）側を向く位置状態とすることができる。
この状態では、被写体側にいるユーザが撮像画像を見ることができることになる。
ディスク装脱部２０５に対してディスクの挿入を行ったり、ディスクの取り出しを行ったりする場合には、この図８（ａ）（ｂ）に示すようにして、本体２００から可動パネル部２０３を起こした状態で行うようにされる。
【００４４】
また、図８（ｂ）に示す状態から矢印ＹＪ３の方向に可動パネル部２０３を動かすこともできる。このようにすれば、図示はしないが、表示パネル６７が外側から見える状態で、可動パネル部２０３が収納位置にあるようにされることになる。
【００４５】
なお、上述のようにして矢印ＹＪ２の方向に沿って表示パネルを回転させると、表示パネル６７が撮影者側に向いたときと被写体側に向いたときとでは、そのままでは表示画像の見え方が上下左右で反転することになるが、本実施の形態では、可動パネル部２０３の回動状態に応じて、表示パネル６７の表示画像が常にユーザ（撮影者及び被写体）から適正な方向で見えるように反転表示制御を行うことでこのような不都合を解消している。
【００４６】
３．ビデオカメラの内部構成
図４は、本例のビデオカメラの内部構成例を示すブロック図である。
この図に示すレンズブロック１においては、例えば実際には撮像レンズや絞りなどを備えて構成される光学系１１が備えられている。上記図６に示したカメラレンズ２０１は、この光学系１１に含まれる。また、このレンズブロック１には、光学系１１に対してオートフォーカス動作を行わせるためのフォーカスモータや、上記ズームキー３０４の操作に基づくズームレンズの移動を行うためのズームモータなどが、モータ部１２として備えられる。
【００４７】
カメラブロック２には、主としてレンズブロック１により撮影した画像光をデジタル画像信号に変換するための回路部が備えられる。
このカメラブロック２のＣＣＤ(Charge Coupled Device) ２１に対しては、光学系１１を透過した被写体の光画像が与えられる。ＣＣＤ２１においては上記光画像について光電変換を行うことで撮像信号を生成し、サンプルホールド／ＡＧＣ(Automatic Gain Control)回路２２に供給する。サンプルホールド／ＡＧＣ回路２２では、ＣＣＤ２１から出力された撮像信号についてゲイン調整を行うと共に、サンプルホールド処理を施すことによって波形整形を行う。サンプルホールド／ＡＧＣ回路２の出力は、ビデオＡ／Ｄコンバータ２３に供給されることで、デジタルとしての画像信号データに変換される。
【００４８】
上記ＣＣＤ２１、サンプルホールド／ＡＧＣ回路２２、ビデオＡ／Ｄコンバータ２３における信号処理タイミングは、タイミングジェネレータ２４にて生成されるタイミング信号により制御される。タイミングジェネレータ２４では、後述するデータ処理／システムコントロール回路３１（ビデオ信号処理回部３内）にて信号処理に利用されるクロックを入力し、このクロックに基づいて所要のタイミング信号を生成するようにされる。これにより、カメラブロック２における信号処理タイミングを、ビデオ信号処理部３における処理タイミングと同期させるようにしている。
カメラコントローラ２５は、カメラブロック２内に備えられる上記各機能回路部が適正に動作するように所要の制御を実行すると共に、レンズブロック１に対してオートフォーカス、自動露出調整、絞り調整、ズームなどのための制御を行うものとされる。
例えばオートフォーカス制御であれば、カメラコントローラ２５は、所定のオートフォーカス制御方式に従って得られるフォーカス制御情報に基づいて、フォーカスモータの回転角を制御する。これにより、撮像レンズはジャストピント状態となるように駆動されることになる。
【００４９】
ビデオ信号処理部３は、記録時においては、カメラブロック２から供給されたデジタル画像信号、及びマイクロフォン２０２により集音したことで得られるデジタル音声信号について圧縮処理を施し、これら圧縮データをユーザ記録データとして後段のメディアドライブ部４に供給する。さらにカメラブロック２から供給されたデジタル画像信号とキャラクタ画像により生成した画像をビューファインダドライブ部２０７に供給し、ビューファインダ２０４に表示させる。
また、再生時においては、メディアドライブ部４から供給されるユーザ再生データ（ディスク５１からの読み出しデータ）、つまり圧縮処理された画像信号データ及び音声信号データについて復調処理を施し、これらを再生画像信号、再生音声信号として出力する。
【００５０】
なお本例において、画像信号データ（画像データ）の圧縮／伸張処理方式としては、動画像についてはＭＰＥＧ(Moving Picture Experts Group)２を採用し、静止画像についてはＪＰＥＧ(Joint Photographic Coding Experts Group) を採用しているものとする。また、音声信号デーのタ圧縮／伸張処理方式には、ＡＴＲＡＣ(Adaptve Transform Acoustic Coding) ２を採用するものとする。
【００５１】
ビデオ信号処理部３のデータ処理／システムコントロール回路３１は、主として、当該ビデオ信号処理部３における画像信号データ及び音声信号データの圧縮／伸張処理に関する制御処理と、ビデオ信号処理部３を経由するデータの入出力を司るための処理を実行する。
また、データ処理／システムコントロール回路３１を含むビデオ信号処理部３全体についての制御処理は、ビデオコントローラ３８が実行するようにされる。このビデオコントローラ３８は、例えばマイクロコンピュータ等を備えて構成され、カメラブロック２のカメラコントローラ２５、及び後述するメディアドライブ部４のドライバコントローラ４６と、例えば図示しないバスライン等を介して相互通信可能とされている。
【００５２】
ビデオ信号処理部３における記録時の基本的な動作として、データ処理／システムコントロール回路３１には、カメラブロック２のビデオＡ／Ｄコンバータ２３から供給された画像信号データが入力される。データ処理／システムコントロール回路３１では、入力された画像信号データを例えば動き検出回路３５に供給する。動き検出回路３５では、例えばメモリ３６を作業領域として利用しながら入力された画像信号データについて動き補償等の画像処理を施した後、ＭＰＥＧ２ビデオ信号処理回路３３に供給する。
【００５３】
ＭＰＥＧ２ビデオ信号処理回路３３においては、例えばメモリ３４を作業領域として利用しながら、入力された画像信号データについてＭＰＥＧ２のフォーマットに従って圧縮処理を施し、動画像としての圧縮データのビットストリーム（ＭＰＥＧ２ビットストリーム）を出力するようにされる。また、ＭＰＥＧ２ビデオ信号処理回路３３では、例えば動画像としての画像信号データから静止画としての画像データを抽出してこれに圧縮処理を施す際には、ＪＰＥＧのフォーマットに従って静止画としての圧縮画像データを生成するように構成されている。なお、ＪＰＥＧは採用せずに、ＭＰＥＧ２のフォーマットによる圧縮画像データとして、正規の画像データとされるＩピクチャ(Intra Picture) を静止画の画像データとして扱うことも考えられる。
ＭＰＥＧ２ビデオ信号処理回路３３により圧縮符号化された画像信号データ（圧縮画像データ）は、例えば、バッファメモリ３２に対して所定の転送レートにより書き込まれて一時保持される。
なおＭＰＥＧ２のフォーマットにおいては、周知のようにいわゆる符号化ビットレート（データレート）として、一定速度（ＣＢＲ；Constant Bit Rate)と、可変速度（ＶＢＲ；Variable Bit Rate)の両者がサポートされており、ビデオ信号処理部３ではこれらに対応できるものとしている。
【００５４】
例えばＶＢＲによる画像圧縮処理を行う場合には、例えば、動き検出回路３５において、画像データをマクロブロック単位により前後数十〜数百フレーム内の範囲で動き検出を行って、動きありとされればこの検出結果を動きベクトル情報としてＭＰＥＧ２ビデオ信号処理回路３３に伝送する。
ＭＰＥＧ２ビデオ信号処理回路３３では、圧縮符号化後の画像データをある所要のデータレートとするように、上記動きベクトル情報をはじめとする所要の情報を利用しながら、マクロブロックごとの量子化係数を決定していくようにされる。
【００５５】
音声圧縮エンコーダ／デコーダ３７には、Ａ／Ｄコンバータ６４（表示／画像／音声入出力部６内）を介して、例えばマイクロフォン２０２により集音された音声がデジタルによる音声信号データとして入力される。
音声圧縮エンコーダ／デコーダ３７では、前述のようにＡＴＲＡＣ２のフォーマットに従って入力された音声信号データに対する圧縮処理を施す。この圧縮音声信号データもまた、データ処理／システムコントロール回路３１によってバッファメモリ３２に対して所定の転送レートによる書き込みが行われ、ここで一時保持される。
【００５６】
上記のようにして、バッファメモリ３２には、圧縮画像データ及び圧縮音声信号データが蓄積可能とされる。バッファメモリ３２は、主として、カメラブロック２あるいは表示／画像／音声入出力部６とバッファメモリ３２間のデータ転送レートと、バッファメモリ３２とメディアドライブ部４間のデータ転送レートの速度差を吸収するための機能を有する。
バッファメモリ３２に蓄積された圧縮画像データ及び圧縮音声信号データは、記録時であれば、順次所定タイミングで読み出しが行われて、メディアドライブ部４のＭＤ−ＤＡＴＡ２エンコーダ／デコーダ４１に伝送される。ただし、例えば再生時においてバッファメモリ３２に蓄積されたデータの読み出しと、この読み出したデータをメディアドライブ部４からデッキ部５を介してディスク５１に記録するまでの動作は、間欠的に行われても構わない。
このようなバッファメモリ３２に対するデータの書き込み及び読み出し制御は、例えば、データ処理／システムコントロール回路３１によって実行される。
【００５７】
ビデオ信号処理部３における再生時の動作としては、概略的に次のようになる。
再生時には、ディスク５１から読み出され、ＭＤ−ＤＡＴＡ２エンコーダ／デコーダ４１（メディアドライブ部４内）の処理によりＭＤ−ＤＡＴＡ２フォーマットに従ってデコードされた圧縮画像データ、圧縮音声信号データ（ユーザ再生データ）が、データ処理／システムコントロール回路３１に伝送されてくる。
データ処理／システムコントロール回路３１では、例えば入力した圧縮画像データ及び圧縮音声信号データを、一旦バッファメモリ３２に蓄積させる。そして、例えば再生時間軸の整合が得られるようにされた所要のタイミング及び転送レートで、バッファメモリ３２から圧縮画像データ及び圧縮音声信号データの読み出しを行い、圧縮画像データについてはＭＰＥＧ２ビデオ信号処理回路３３に供給し、圧縮音声信号データについては音声圧縮エンコーダ／デコーダ３７に供給する。
【００５８】
ＭＰＥＧ２ビデオ信号処理回路３３では、入力された圧縮画像データについて伸張処理を施して、データ処理／システムコントロール回路３１に伝送する。データ処理／システムコントロール回路３１では、この伸張処理された画像信号データを、ビデオＤ／Ａコンバータ６１（表示／画像／音声入出力部６内）に供給する。
音声圧縮エンコーダ／デコーダ３７では、入力された圧縮音声信号データについて伸張処理を施して、Ｄ／Ａコンバータ６５（表示／画像／音声入出力部６内）に供給する。
【００５９】
表示／画像／音声入出力部６においては、ビデオＤ／Ａコンバータ６１に入力された画像信号データは、ここでアナログ画像信号に変換され、表示コントローラ６２及びコンポジット信号処理回路６３に対して分岐して入力される。
表示コントローラ６２では、入力された画像信号に基づいて表示部６Ａを駆動する。これにより、表示部６Ａにおいて再生画像の表示が行われる。また、表示部６Ａにおいては、ディスク５１から再生して得られる画像の表示だけでなく、当然のこととして、レンズブロック１及びカメラブロック２からなるカメラ部位により撮影して得られた撮像画像も、ほぼリアルタイムで表示出力させることが可能である。
また、再生画像及び撮像画像の他、前述のように、機器の動作に応じて所要のメッセージをユーザに知らせるための文字やキャラクタ等によるメッセージ表示も行われるものとされる。このようなメッセージ表示は、例えばビデオコントローラ３８の制御によって、所要の文字やキャラクタ等が所定の位置に表示されるように、データ処理／システムコントロール回路３１からビデオＤ／Ａコンバータ６１に出力すべき画像信号データに対して、所要の文字やキャラクタ等の画像信号データを合成する処理を実行するようにすればよい。
【００６０】
また、表示部６Ａに対しては、タッチパネル６Ｂが組み合わされることで、表示パネル６７を構成する。
タッチパネル６Ｂでは、表示部６Ａ上に対して行われた押圧操作の位置情報を検知し、これを操作情報としてビデオコントローラ３８に対して出力する。
【００６１】
コンポジット信号処理回路６３では、ビデオＤ／Ａコンバータ６１から供給されたアナログ画像信号についてコンポジット信号に変換して、ビデオ出力端子Ｔ１に出力する。例えば、ビデオ出力端子Ｔ１を介して、外部モニタ装置等と接続を行えば、当該ビデオカメラで再生した画像を外部モニタ装置により表示させることが可能となる。
【００６２】
また、表示／画像／音声入出力部６において、音声圧縮エンコーダ／デコーダ３７からＤ／Ａコンバータ６５に入力された音声信号データは、ここでアナログ音声信号に変換され、ヘッドフォン／ライン端子Ｔ２に対して出力される。また、Ｄ／Ａコンバータ６５から出力されたアナログ音声信号は、アンプ６６を介してスピーカ２０５に対しても分岐して出力され、これにより、スピーカ２０５からは、再生音声等が出力されることになる。
【００６３】
メディアドライブ部４では、主として、記録時にはＭＤ−ＤＡＴＡ２フォーマットに従って記録データをディスク記録に適合するようにエンコードしてデッキ部５に伝送し、再生時においては、デッキ部５においてディスク５１から読み出されたデータについてデコード処理を施すことで再生データを得て、ビデオ信号処理部３に対して伝送する。
【００６４】
このメディアドライブ部４のＭＤ−ＤＡＴＡ２エンコーダ／デコーダ４１は、記録時においては、データ処理／システムコントロール回路３１から記録データ（圧縮画像データ＋圧縮音声信号データ）が入力され、この記録データについて、ＭＤ−ＤＡＴＡ２フォーマットに従った所定のエンコード処理を施し、このエンコードされたデータを一時バッファメモリ４２に蓄積する。そして、所要のタイミングで読み出しを行いながらデッキ部５に伝送する。
【００６５】
再生時においては、ディスク５１から読み出され、ＲＦ信号処理回路４４、二値化回路４３を介して入力されたデジタル再生信号について、ＭＤ−ＤＡＴＡ２フォーマットに従ったデコード処理を施して、再生データとしてビデオ信号処理部３のデータ処理／システムコントロール回路３１に対して伝送する。
なお、この際においても、必要があれば再生データを一旦バッファメモリ４２に蓄積し、ここから所要のタイミングで読み出したデータをデータ処理／システムコントロール回路３１に伝送出力するようにされる。このような、バッファメモリ４２に対する書き込み／読み出し制御はドライバコントローラ４６が実行するものとされる。
なお、例えばディスク５１の再生時において、外乱等によってサーボ等が外れて、ディスクからの信号の読み出しが不可となったような場合でも、バッファメモリ４２に対して読み出しデータが蓄積されている期間内にディスクに対する再生動作を復帰させるようにすれば、再生データとしての時系列的連続性を維持することが可能となる。
【００６６】
ＲＦ信号処理回路４４には、ディスク５１からの読み出し信号について所要の処理を施すことで、例えば、再生データとしてのＲＦ信号、デッキ部５に対するサーボ制御のためのフォーカスエラー信号、トラッキングエラー信号等のサーボ制御信号を生成する。ＲＦ信号は、上記のように二値化回路４３により２値化され、デジタル信号データとしてＭＤ−ＤＡＴＡ２エンコーダ／デコーダ４１に入力される。
また、生成された各種サーボ制御信号はサーボ回路４５に供給される。サーボ回路４５では、入力したサーボ制御信号に基づいて、デッキ部５における所要のサーボ制御を実行する。
【００６７】
なお、本例においては、ＭＤ−ＤＡＴＡ１フォーマットに対応するエンコーダ／デコーダ４７を備えており、ビデオ信号処理部３から供給された記録データを、ＭＤ−ＤＡＴＡ１フォーマットに従ってエンコードしてディスク５１に記録すること、或いは、ディスク５１からの読み出しデータがＭＤ−ＤＡＴＡ１フォーマットに従ってエンコードされているものについては、そのデコード処理を行って、ビデオ信号処理部３に伝送出力することも可能とされている。つまり本例のビデオカメラとしては、ＭＤ−ＤＡＴＡ２フォーマットとＭＤ−ＤＡＴＡ１フォーマットとについて互換性が得られるように構成されている。
ドライバコントローラ４６は、メディアドライブ部４を総括的に制御するための機能回路部とされる。
【００６８】
デッキ部５は、ディスク５１を駆動するための機構からなる部位とされる。ここでは図示しないが、デッキ部５においては、装填されるべきディスク５１が着脱可能とされ、ユーザの作業によって交換が可能なようにされた機構（ディスクスロット２０３（図６参照））を有しているものとされる。また、ここでのディスク５１は、ＭＤ−ＤＡＴＡ２フォーマット、あるいはＭＤ−ＤＡＴＡ１フォーマットに対応する光磁気ディスクであることが前提となる。
【００６９】
デッキ部５においては、装填されたディスク５１をＣＬＶにより回転駆動するスピンドルモータ５２によって、ＣＬＶにより回転駆動される。このディスク５１に対しては記録／再生時に光学ヘッド５３によってレーザ光が照射される。
光学ヘッド５３は、記録時には記録トラックをキュリー温度まで加熱するための高レベルのレーザ出力を行ない、また再生時には磁気カー効果により反射光からデータを検出するための比較的低レベルのレーザ出力を行なう。このため、光学ヘッド５３には、ここでは詳しい図示は省略するがレーザ出力手段としてのレーザダイオード、偏光ビームスプリッタや対物レンズ等からなる光学系、及び反射光を検出するためのディテクタが搭載されている。光学ヘッド５３に備えられる対物レンズとしては、例えば２軸機構によってディスク半径方向及びディスクに接離する方向に変位可能に保持されている。
【００７０】
また、ディスク５１を挟んで光学ヘッド５３と対向する位置には磁気ヘッド５４が配置されている。磁気ヘッド５４は記録データによって変調された磁界をディスク５１に印加する動作を行なう。
また、図示しないが、デッキ部５においては、スレッドモータ５５により駆動されるスレッド機構が備えられている。このスレッド機構が駆動されることにより、上記光学ヘッド５３全体及び磁気ヘッド５４はディスク半径方向に移動可能とされている。
【００７１】
操作部７は図６に示した各種操作子に相当し、これらの操作子によるユーザの各種操作情報は例えばビデオコントローラ３８に出力される。
ビデオコントローラ３８は、先に述べたタッチパネル６Ｂ、及び上記操作部７から出力される操作情報に応じた必要な動作が各部において実行されるようにするための制御情報をカメラコントローラ２５、ドライバコントローラ４６に対して供給する。
【００７２】
外部インターフェイス８は、当該ビデオカメラと外部機器とでデータを相互伝送可能とするために設けられており、例えば図のようにＩ／Ｆ端子Ｔ３とビデオ信号処理部間に対して設けられる。なお、外部インターフェイス８としてはここでは特に限定されるものではないが、例えばＩＥＥＥ１３９４等が採用されればよい。
例えば、外部のデジタル画像機器と本例のビデオカメラをＩ／Ｆ端子Ｔ３を介して接続した場合、ビデオカメラで撮影した画像（音声）を外部デジタル画像機器に録画したりすることが可能となる。また、外部デジタル画像機器にて再生した画像（音声）データ等を、外部インターフェイス８を介して取り込むことにより、ＭＤ−ＤＡＴＡ２（或いはＭＤ−ＤＡＴＡ１）フォーマットに従ってディスク５１に記録するといったことも可能となる。更には、例えばキャプションの挿入などに利用する文字情報としてのファイルも取り込んで記録することが可能となる。
【００７３】
電源ブロック９は、内蔵のバッテリにより得られる直流電源あるいは商用交流電源から生成した直流電源を利用して、各機能回路部に対して所要のレベルの電源電圧を供給する。電源ブロック９による電源オン／オフは、上述したメインダイヤル３００の操作に応じてビデオコントローラ３８が制御する。
また記録動作中はビデオコントローラ３８はインジケータ２０６の発光動作を実行させる。
【００７４】
４．メディアドライブ部の構成
続いて、図４に示したメディアドライブ部４の構成として、ＭＤ−ＤＡＴＡ２に対応する機能回路部を抽出した詳細な構成について、図５のブロック図を参照して説明する。なお、図５においては、メディアドライブ部４と共にデッキ部５を示しているが、デッキ部５の内部構成については図４により説明したため、ここでは、図４と同一符号を付して説明を省略する。また、図５に示すメディアドライブ部４において図４のブロックに相当する範囲に同一符号を付している。
【００７５】
光学ヘッド５３のディスク５１に対するデータ読み出し動作によりに検出された情報（フォトディテクタによりレーザ反射光を検出して得られる光電流）は、ＲＦ信号処理回路４４内のＲＦアンプ１０１に供給される。
ＲＦアンプ１０１では入力された検出情報から、再生信号としての再生ＲＦ信号を生成し、二値化回路４３に供給する。二値化回路４３は、入力された再生ＲＦ信号について二値化を行うことにより、デジタル信号化された再生ＲＦ信号（二値化ＲＦ信号）を得る。
この二値化ＲＦ信号はＭＤ−ＤＡＴＡ２エンコーダ／デコーダ４１に供給され、まずＡＧＣ／クランプ回路１０３を介してゲイン調整、クランプ処理等が行われた後、イコライザ／ＰＬＬ回路１０４に入力される。
イコライザ／ＰＬＬ回路１０４では、入力された二値化ＲＦ信号についてイコライジング処理を施してビタビデコーダ１０５に出力する。また、イコライジング処理後の二値化ＲＦ信号をＰＬＬ回路に入力することにより、二値化ＲＦ信号（ＲＬＬ（１，７）符号列）に同期したクロックＣＬＫを抽出する。
【００７６】
クロックＣＬＫの周波数は現在のディスク回転速度に対応する。このため、ＣＬＶプロセッサ１１１では、イコライザ／ＰＬＬ回路１０４からクロックＣＬＫを入力し、所定のＣＬＶ速度（図３参照）に対応する基準値と比較することにより誤差情報を得て、この誤差情報をスピンドルエラー信号ＳＰＥを生成するための信号成分として利用する。また、クロックＣＬＫは、例えばＲＬＬ（１，７）復調回路１０６をはじめとする、所要の信号処理回路系における処理のためのクロックとして利用される。
【００７７】
ビタビデコーダ１０５は、イコライザ／ＰＬＬ回路１０４から入力された二値化ＲＦ信号について、いわゆるビタビ復号法に従った復号処理を行う。これにより、ＲＬＬ（１，７）符号列としての再生データが得られることになる。
この再生データはＲＬＬ（１，７）復調回路１０６に入力され、ここでＲＬＬ（１，７）復調が施されたデータストリームとされる。
【００７８】
ＲＬＬ（１，７）復調回路１０６における復調処理により得られたデータストリームは、データバス１１４を介してバッファメモリ４２に対して書き込みが行われ、バッファメモリ４２上で展開される。
このようにしてバッファメモリ４２上に展開されたデータストリームに対しては、先ず、ＥＣＣ処理回路１１６により、ＲＳ−ＰＣ方式に従って誤り訂正ブロック単位によるエラー訂正処理が施され、更に、デスクランブル／ＥＤＣデコード回路１１７により、デスクランブル処理と、ＥＤＣデコード処理（エラー検出処理）が施される。
これまでの処理が施されたデータが再生データＤＡＴＡｐとされる。この再生データＤＡＴＡｐは、転送クロック発生回路１２１にて発生された転送クロックに従った転送レートで、例えばデスクランブル／ＥＤＣデコード回路１１７からビデオ信号処理部３のデータ処理／システムコントロール回路３１に対して伝送されることになる。
【００７９】
転送クロック発生回路１２１は、例えば、クリスタル系のクロックをメディアドライブ部４とビデオ信号処理部３間のデータ伝送や、メディアドライブ部４内における機能回路部間でのデータ伝送を行う際に、適宜適正とされる周波数の転送クロック（データ転送レート）を発生するための部位とされる。
また、当該ビデオカメラの動作状態に応じて、メディアドライブ部４及びビデオ信号処理部３の各機能回路部に供給すべき所要の周波数のクロックを発生する。
【００８０】
光学ヘッド５３によりディスク５１から読み出された検出情報（光電流）は、マトリクスアンプ１０７に対しても供給される。
マトリクスアンプ１０７では、入力された検出情報について所要の演算処理を施すことにより、トラッキングエラー信号ＴＥ、フォーカスエラー信号ＦＥ、グルーブ情報（ディスク５１にウォブルドグルーブＷＧとして記録されている絶対アドレス情報）ＧＦＭ等を抽出しサーボ回路４５に供給する。即ち抽出されたトラッキングエラー信号ＴＥ、フォーカスエラー信号ＦＥはサーボプロセッサ１１２に供給され、グルーブ情報ＧＦＭはＡＤＩＰバンドパスフィルタ１０８に供給される。
【００８１】
ＡＤＩＰバンドパスフィルタ１０８により帯域制限されたグルーブ情報ＧＦＭは、Ａ／Ｂトラック検出回路１０９、ＡＤＩＰデコーダ１１０、及びＣＬＶプロセッサ１１１に対して供給される。
Ａ／Ｂトラック検出回路１０９では、例えば図２（ｂ）にて説明した方式などに基づいて、入力されたグルーブ情報ＧＦＭから、現在トレースしているトラックがトラックＴＲ・Ａ，ＴＲ・Ｂの何れとされているのかについて判別を行い、このトラック判別情報をドライバコントローラ４６に出力する。また、ＡＤＩＰデコーダ１１０では、入力されたグルーブ情報ＧＦＭをデコードしてディスク上の絶対アドレス情報であるＡＤＩＰ信号を抽出し、ドライバコントローラ４６に出力する。ドライバコントローラ４６では、上記トラック判別情報及びＡＤＩＰ信号に基づいて、所要の制御処理を実行する。
【００８２】
ＣＬＶプロセッサ１１１には、イコライザ／ＰＬＬ回路１０４からクロックＣＬＫと、ＡＤＩＰバンドパスフィルタ１０８を介したグルーブ情報ＧＦＭが入力される。ＣＬＶプロセッサ１１１では、例えばグルーブ情報ＧＦＭに対するクロックＣＬＫとの位相誤差を積分して得られる誤差信号に基づき、ＣＬＶサーボ制御のためのスピンドルエラー信号ＳＰＥを生成し、サーボプロセッサ１１２に対して出力する。なお、ＣＬＶプロセッサ１１１が実行すべき所要の動作はドライバコントローラ４６によって制御される。
【００８３】
サーボプロセッサ１１２は、上記のようにして入力されたトラッキングエラー信号ＴＥ、フォーカスエラー信号ＦＥ、スピンドルエラー信号ＳＰＥ、ドライバコントローラ４６からのトラックジャンプ指令、アクセス指令等に基づいて各種サーボ制御信号（トラッキング制御信号、フォーカス制御信号、スレッド制御信号、スピンドル制御信号等）を生成し、サーボドライバ１１３に対して出力する。
サーボドライバ１１３では、サーボプロセッサ１１２から供給されたサーボ制御信号に基づいて所要のサーボドライブ信号を生成する。ここでのサーボドライブ信号としては、二軸機構を駆動する二軸ドライブ信号（フォーカス方向、トラッキング方向の２種）、スレッド機構を駆動するスレッドモータ駆動信号、スピンドルモータ５２を駆動するスピンドルモータ駆動信号となる。
このようなサーボドライブ信号がデッキ部５に対して供給されることで、ディスク５１に対するフォーカス制御、トラッキング制御、及びスピンドルモータ５２に対するＣＬＶ制御が行われることになる。
【００８４】
ディスク５１に対して記録動作が実行される際には、例えば、ビデオ信号処理部３のデータ処理／システムコントロール回路３１からスクランブル／ＥＤＣエンコード回路１１５に対して記録データＤＡＴＡｒが入力されることになる。このユーザ記録データＤＡＴＡｒは、例えば転送クロック発生回路１２１にて発生された転送クロック（データ転送レート）に同期して入力される。
【００８５】
スクランブル／ＥＤＣエンコード回路１１５では、例えば記録データＤＡＴＡｒをバッファメモリ４２に書き込んで展開し、データスクランブル処理、ＥＤＣエンコード処理（所定方式によるエラー検出符号の付加処理）を施す。この処理の後、例えばＥＣＣ処理回路１１６によって、バッファメモリ４２に展開させている記録データＤＡＴＡｒに対してＲＳ−ＰＣ方式によるエラー訂正符号を付加するようにされる。
ここまでの処理が施された記録データＤＡＴＡｒは、バッファメモリ４２から読み出されて、データバス１１４を介してＲＬＬ（１，７）変調回路１１８に供給される。
【００８６】
ＲＬＬ（１，７）変調回路１１８では、入力された記録データＤＡＴＡｒについてＲＬＬ（１，７）変調処理を施し、このＲＬＬ（１，７）符号列としての記録データを磁気ヘッド駆動回路１１９に出力する。
【００８７】
ところで、ＭＤ−ＤＡＴＡ２フォーマットでは、ディスクに対する記録方式として、いわゆるレーザストローブ磁界変調方式を採用している。レーザストローブ磁界変調方式とは、記録データにより変調した磁界をディスク記録面に印加すると共に、ディスクに照射すべきレーザ光を記録データに同期してパルス発光させる記録方式をいう。
このようなレーザストローブ磁界変調方式では、ディスクに記録されるピットエッジの形成過程が磁界の反転速度等の過渡特性に依存せず、レーザパルスの照射タイミングによって決定される。
このため、例えば単純磁界変調方式（レーザ光をディスクに対して定常的に照射すると共に記録データにより変調した磁界をディスク記録面に印加するようにした方式）と比較して、レーザストローブ磁界変調方式では、記録ピットのジッタをきわめて小さくすることが容易に可能とされる。つまり、レーザストローブ磁界変調方式は、高密度記録化に有利な記録方式とされるものである。
【００８８】
メディアドライブ部４の磁気ヘッド駆動回路１１９では、入力された記録データにより変調した磁界が磁気ヘッド５４からディスク５１に印加されるように動作する。また、ＲＬＬ（１，７）変調回路１１８からレーザドライバ１２０に対しては、記録データに同期したクロックを出力する。レーザドライバ１２０は、入力されたクロックに基づいて、磁気ヘッド５４により磁界として発生される記録データに同期させたレーザパルスがディスクに対して照射されるように、光学ヘッド５３のレーザダイオードを駆動する。この際、レーザダイオードから発光出力されるレーザパルスとしては、記録に適合する所要のレーザパワーに基づくものとなる。このようにして、本例のメディアドライブ部４により上記レーザストローブ磁界変調方式としての記録動作が可能とされる。
【００８９】
５．本実施の形態に対応するディスク構造例
次に、本実施の形態に対応するディスク５１のデータ構造例について説明する。
先ず、ＭＤ−ＤＡＴＡ２のフォーマットとしてセクタ、クラスタといわれるデータ単位について述べておく。
セクタは、ディスクからの物理的なデータ読み出しの最小単位であり、各セクタには、ＰＳＡ(Physical Sector Address)が割り当てられる。
また、クラスタは、ディスクへの物理的なデータ書き込みの最小単位とされ、ＰＳＡが０ｈ〜Ｆｈまでの連続する１６のセクタの集合により形成される。各クラスタには、ＰＣＡ(Physical Cluster Address)が割り当てられる。そして、後述するリードインエリア（プリマスタード・エリア）に在るセクターは、ＰＣＡによって一意に特定することができる。また、レコーダブルエリアにあるクラスタは同一のＰＣＡを有するクラスタがトラックＴｒ・Ａ，Ｔｒ・Ｂとで１つずつ存在することになる。
【００９０】
図９は、本実施の形態に対応するとされるディスク５１のデータ管理形態例を概念的に示している。なお、この図に示すディスク５１の物理フォーマットについては、先に図１及び図２により説明した通りである。
ディスク５１においては、例えば、管理情報としてＰＴＯＣ、及びＲＴＯＣが設定される。ＰＴＯＣは、ピット形態により所要の管理情報が記録される。このＰＴＯＣの内容は書き換えが不可とされている。
ＲＴＯＣは、例えばディスクに記録されたデータを管理するのに必要な基本的な情報が記録される。
例えば本例の場合であれば、ディスクに記録されたデータとして、トラック（ファイルと同義の場合有り）、及びフォルダ（トラックをグループ化して管理するための構造）を記録再生時において管理するための情報が格納される。
なお、ＲＴＯＣの内容は、例えば、これまでのディスクに対するデータの記録結果や、トラック（ファイル）、フォルダの削除等の編集処理結果に従って逐次書き換えが行われるものとされる。
【００９１】
ユーザデータは、１つのルートフォルダ内に置かれたボリュームフォルダ(Volume Folder)として管理される。本実施の形態においてボリューム(Volume)とは、ユーザデータの完全な集合として定義され、１枚のディスクにはただ１つのボリュームが存在するものとして規定される。そして、このボリューム内に含まれるデータは、上記ＰＴＯＣ、ＲＴＯＣで管理されるものを除いて、ボリュームフォルダ以下のフォルダ及びトラックとして格納されることになる。
【００９２】
ボリュームフォルダ内においては、所定サイズ（例えば１２クラスタ）のボリュームインデックストラック(ＶＩＴ：Volume Index Track)が置かれる。
このボリュームインデックストラックは、例えば上記ＰＴＯＣ、ＲＴＯＣが主的管理情報とすれば、いわば副管理情報が記録される領域として規定されるもので、トラック（ファイル）、フォルダ、及び補助データ(Auxiliary Data)に関すプロパティ、タイトル、及びトラックを形成するパケットデータを管理するための情報が記録されるテーブルを有する。
【００９３】
また、ボリュームフォルダ内で管理されるトラックとして、サムネイルトラック(Thumbnail Picture Track)がオプションとして配置可能とされている。
本実施の形態においては、ディスクに記録された各ファイルごとに対応付けして、所定解像度による１枚の静止画像をサムネイル画像として有することが可能とされている。サムネイル画像は、ファイルを視覚的に認識可能とするための代表画像として扱われる。
サムネイルトラックには、ディスクに記録されているファイル（トラック）との対応付けと、サムネイル画像の格納位置とが示されるインデックス情報と共に記録される。サムネイルトラックのデータ長は、格納されるサムネイル画像数等に応じて任意に拡張可能とされる。
【００９４】
そして、例えばユーザが撮影等によって記録した画像／音声データはファイル単位で管理され、ボリュームフォルダ内において、トラックとしてボリュームフォルダの下に置かれる、或いは、ボリュームフォルダ以下に置かれるフォルダ内に置かれることになる。
図９では、或る１ファイルが１トラックとして表現された上で、このトラックが或る１つのフォルダ内に格納されている状態が示されている。フォルダは、上述のように、トラック又はフォルダを１グループにまとめて管理するための構造である。
従ってボリュームフォルダ以下の構造においては、ボリュームフォルダ内に格納可能な最大件数と、フォルダの階層構造の最大段数により規定される範囲内で、任意の数のトラック又はフォルダが格納されることになる。
【００９５】
また、ボリュームフォルダ内には、補助データ(Auxiliary Data)が格納される補助データトラック(Auxiliary Data Track)が配置される。
補助データトラックに格納されるべき情報としては、例えば、実際に適用されるアプリケーションによって任意とされる。
本実施の形態においては、再生制御情報としてのスクリプトの情報が格納されることになる。また、ここでの詳しい説明は省略するが、トラック（録画ファイル）に対する「落書き編集」によって作成された画像データ（Image）も格納される。
【００９６】
ところで、上記した管理情報であるＰＴＯＣ，ＲＴＯＣ、また更にはボリュームインデックストラックに格納された情報（これらの情報を総称しても、本実施の形態では「管理情報」ということにする）は、例えば、ディスク装填時において読み出されて、例えば、メディアドライブ部４のバッファメモリ４２（又はバッファメモリ３２）の所定領域に保持される。そして、データ記録時や編集時においては、その記録結果や編集結果に応じてバッファメモリに保持されているこれら管理情報について書き換えを行うようにし、その後、所定の機会、タイミングでもって、バッファメモリに保持されている管理情報の内容に基づいて、ディスク５１の管理情報を書き換える（更新する）ようにされる（但し、ＰＴＯＣについては更新は行われない）。
【００９７】
図１０は、上記図９に示したデータ管理形態をディスク５１の物理構造に対応させて示しているものである。
この図に示すリードインエリアは、ディスク最内周におけるピットエリアであり、ここにＰＴＯＣの情報が記録される。
【００９８】
そして、このリードインエリアの外周に対しては、トランジションエリアを介してレコーダブルエリアが形成される。このレコーダブルエリアは、光磁気記録再生が可能とされる光磁気記録領域とされる。このレコーダブルエリアは、先に図１，図２により説明したように、トラックＴｒ・ＡとトラックＴｒ・Ｂの２本のトラックがダブルスパイラル上に形成される。
【００９９】
レコーダブルエリアの最内周にあっては、トラックＴｒ・Ａ，Ｔｒ・Ｂ共に、ＲＴＯＣエリアが設けられる。そして、トラックＴｒ・ＡのＲＴＯＣエリア内にあっては、４クラスタのサイズのＲＴＯＣの情報が３回繰り返して記録される。そしてこれに続けて、１２クラスタのサイズのボリュームインデックストラックが配置される。
そして、ボリュームインデックストラックに続けては、サムネイルトラックをオプションとして配置することができることになっている。このＲＴＯＣエリア内のサムネイルトラックとしては、少なくとも最初の１クラスタが位置するものと規定されている。そして、例えばファイル数の増加に応じてサムネイル画像データ数が多くなり、ＲＴＯＣエリア内のサムネイルトラックの容量を超えたときには、後述するレコーダブルデータエリアに対して追加的に記録していくことができる。また、このときのレコーダブルデータエリア上のサムネイルトラックは、ボリュームインデックストラック（又はＲＴＯＣ）によって管理される。
【０１００】
また、このＲＴＯＣエリアのサムネイルトラックに続けて、補助データであるスクリプトとイメージデータを記録する領域をオプションとして設定することができる。
また、これらスクリプトとイメージデータについても、ＲＴＯＣエリア内にて記録可能な容量を超えたときには、ボリュームインデックストラック（又はＲＴＯＣ）により管理される形態で、レコーダブルデータエリアに対して追加的に記録していくことができる。
【０１０１】
そして、レコーダブルデータエリアスタートアドレスＷより示されるアドレス位置からは、レコーダブルデータエリアが設けられる。このレコーダブルデータエリアに対して、ＡＶデータ、即ちトラック（ファイル）のデータが記録される。また、前述したサムネイル画像データ及び補助データも記録可能とされる。
【０１０２】
このレコーダブルデータエリアが終了すると、リードアウトエリアスタートアドレスＬにより示されるアドレス位置から最外周にかけてリードアウトエリアが形成される。
【０１０３】
上記説明は、トラックＴｒ・Ａに関するものであるが、トラックＴｒ・Ｂについても、図１０から分かるように、領域設定はトラックＴｒ・Ａに準ずる。但し、ＲＴＯＣエリアについては現段階では未定義とされている。つまり、ＲＴＯＣエリアは、トラックＴｒ・Ａについてのみ実質的に使用されるようにしている。
【０１０４】
なお、これら図９及び図１０に示すディスク構造例はあくまでも一例であって、ディスク上での各エリアの物理的位置関係は、実際の使用条件等に応じて変更されて構わないし、データが格納される構造も変更されてかまないものである。
【０１０５】
６．データ終端位置変更編集
６−１．動作概要１（カメラモードの場合）
上記のようにして構成される本実施の形態のビデオカメラにあっては、簡易編集機能として、ディスクにファイル（トラック）単位で管理されているデータについて、その最終トラックにおける任意の位置以降のデータ部分を削除する、データ終端位置変更を行うことができる。
【０１０６】
また、このデータ終端位置変更編集は、ディスクに記録されているファイルとして、カメラモードにより撮影された動画像のビデオデータ（又は静止画データ）からなるカメラモードトラックと、インタビューモードにより記録された音声／静止画データからなるインタビュートラックを対象とする。
そして、本実施の形態のデータ終端位置変更編集は、メインダイヤル３００のポジションとして、カメラモード又はインタビューモードとされて、カメラモードトラック又はインタビュートラックを記録可能なモードにあるときに行われるものとする。
【０１０７】
そこで、先ず、図１１を参照して、メインダイヤル３００のポジションをカメラモードとしている場合にデータ終端位置変更を行う場合の、その操作手順と操作に従った動作について概要的に説明する。
【０１０８】
確認のために述べておくと、カメラモードとは、レリーズキー３０１又はフォトキー３０４を操作すれば、動画又は静止画のビデオデータが記録可能なモードとされる。
このカメラモードの状態で、本実施の形態では再生／ポーズキー３０８を操作することができる。そして、この再生／ポーズキー３０８を操作したとすると、本実施の形態では、ディスクに記録されたトラックのうち最後に再生されるべき（最後のトラックナンバが付されている）最終トラックを選択する。
ここで、最終トラックとして選択されるのは、現在カメラモードが選択されていることに対応して、カメラモードによりディスクに記録されたカメラモードトラックのうちで最終となるトラックとされる。つまり、逆に言えば、インタビューモードにより記録されたインタビューモードトラックを始め、カメラモード以外によって記録又は作成されたトラックは選択対象から除外される。
【０１０９】
そして、上記のようにして選択した最終のカメラモードトラックについての再生を実行する。
つまり、例えば図１１（ａ）に示すようにして、この最終トラックの開始アドレスＡ１から再生を開始するものである。このようにして再生される最終トラックの画像は表示パネル６７に対して表示され、ユーザはこの画像を見ることができる。また、このときには動画像に付随して記録されたマイクロフォン音声の再生出力も同期して行われる。
なお、図１１（ａ）にあっては、最終トラックの終端アドレスＡ２に続くアドレスＡ３以降のエリアは空きエリアとされている。
【０１１０】
そして、再生が進行していく中、ユーザは、この最終トラック内の任意の再生位置で、再生の一時停止を行わせることができる。この一時停止操作としては、例えば再度、再生／ポーズキー３０８を操作すればよい。また、ユーザが選ぶ一時停止位置は、例えば最終トラックにおいて、ユーザが変更したいとするデータ終端位置に対応するもので、換言すれば、ユーザが削除したいと思っているデータ部分の先頭位置に対応するものであ。
ここで、ユーザが一時停止操作を行うことで再生が一時停止された位置を、図１１（ａ）にポーズ位置Ｐｓｔとして示す。
【０１１１】
この一時停止操作が行われると、表示パネル６７には一時停止操作時に表示されていた画像が静止状態で表示される。つまり、図１１（ａ）のポーズ位置Ｐｓｔに対応したデータの画像が静止画として表示される。そして、この状態の下で、ジョグダイヤル３０３の操作に対する回転操作を行うと、その回転操作の方向に応じて、図１１（ａ）のポーズ位置Ｐｓｔ１に対応する画像を基点として、その前後で画像をコマ送りさせることができる。
この画像のコマ送り操作をデータとポーズ位置との関係から見た場合には、図１１（ｂ）に示すように、始めの一時停止位置に対応したポーズ位置Ｐｓｔ１を、ジョグダイヤルの回転操作に応じて、ポーズ位置Ｐｓｔ２に変更設定する動作となる。
【０１１２】
上記したコマ送り操作によって、表示画面上で画像を確認しながらポーズ位置Ｐｓｔを変更することで、最終的に変更すべきデータ終端位置の設定についての微調整を行うことが可能とされる。
【０１１３】
そして、上記のようにしてポーズ位置について微調整を行って最終的にポーズ位置Ｐｓｔ２を設定したとする（ここでは、最終的なポーズ位置ｐｓｔ２＝Ｐｓｔ１となる場合がある）。そして、この後、ユーザは、削除キー３０２を操作する。
この削除キーが操作されると、ビデオカメラでは、先ず、ユーザに確認を促すために、図１１（ｃ）に示すようにして、この最終的なポーズ位置ｐｓｔ２から最終トラックの終端アドレスＡ２の区間のデータを再生する。このときには再生画像／音声が出力されているものとされる。また、この区間のデータは、これより削除されるべきデータ部分となる。また、この区間の再生は繰り返し行われる。
【０１１４】
ユーザは、このようにして繰り返し再生される画像を表示パネル６７により見て、自分がこれまでの操作により設定して削除を行おうとする画像の確認を行うことができる。
また、このとき、表示画面上には、削除を決定するか、削除をキャンセルするかのダイアログが表示されており、このダイアログに対する操作を、例えばジョグダイヤル３０３の回転操作と押圧操作により行えるようになっている。例えばこのダイアログにはキャンセルボタンと削除決定ボタンとの２つのボタンが表示されており、この２つのボタン間の選択はジョグダイヤル３０３の回転操作により行うことができる。そして、ボタンに対するクリック操作（決定操作）は、ジョグダイヤル３０３の押圧操作によって行うことができる。
【０１１５】
ここで、例えば削除すべきデータ部分の開始位置（つまり、最終的なポーズ位置ｐｓｔ２）について不満があるなどの理由で、これまでの設定をキャンセルしたい場合には、上記したダイアログに対してキャンセル決定のための操作を行う。これにより、これまでの設定はキャンセルされて、通常のカメラモード下での記録スタンバイ状態に移行する。
【０１１６】
これに対して、削除を決定する場合には、上記ダイアログに対して削除決定のための操作を行う。
この場合には、図１１（ｄ）に示すようにして、最終トラックのデータ区間としては、開始アドレスＡ１から、終端アドレスＡ２−１の区間となる。つまり、最終トラックの終端アドレスは、図１１（ａ）（ｃ）に示すアドレスＡ２から、図１１（ｄ）に示すように、それより前に在るとされる最終的なポーズ位置Ｐｓｔ２により指示されるアドレスの直前アドレスである、アドレスＡ２−１に変更されるものである。
そして、このようにして変更された終端アドレスＡ２−１が、実際に最終トラックの終端アドレスとなるように、例えば管理情報の更新を行う。本実施の形態の場合には、少なくとも、ＲＴＯＣ、ボリュームインデックストラックにおける内容を更新するように書き換えることになる。また、この最終トラックに対応するスクリプトファイルがディスクに記録されており、この終端アドレスの変更に伴って内容の変更を要する場合には、このスクリプトファイルについての更新も行われる。
【０１１７】
このようにして、データの終端アドレスが変更された後は、図１１（ｄ）にも示すようにして、先に述べたアドレスＡ２−１に続く次のアドレスＡ２−２以降の領域は、空きエリアとして管理されることになる。従って、例えば、この最終トラックを再生すれば、その再生は終端アドレスＡ２−１に至って再生を終了することになる。
なお、ディスクにあっては、図１１（ｄ）のアドレスＡ２−２〜Ａ２で示される領域には、元の最終トラックのデータとしての記録ピットが形成されたまま残っているのであるが、この領域が空きエリアとして管理されているものである。
【０１１８】
また、このようにしてデータの終端アドレスが変更された後において、カメラモードにより新規にトラックの記録を行った場合には、これより前に最終トラックとされていたトラックがその１つ前のトラックとして管理され、この新規に記録されたトラックが最終トラックとなる。そして、この２つのトラックを連続的に再生すれば、先ず、最後の１つ前のトラックとして図１１（ｄ）に示す開始アドレスＡ１から終端アドレスＡ２−１の区間が再生され、これに続けて、新規に記録された最終トラックが再生される。
【０１１９】
つまり、本実施の形態にあっては、上記のようにしてデータ終端位置（終端アドレス）を変更することで、カメラモードのもとで最終トラックの任意のデータ位置以降を削除して、その次に新たな最終となるトラックを記録していくといった使い方をすることができる。このときに、ユーザが、最終トラックにおいて削除すべきデータ位置（ポーズ位置Ｐｓｔ）をうまく選択することで、簡易な繋ぎ録り編集を容易な操作で行っていくことができる。
また、最終トラックにおけるポーズ位置Ｐｓｔ以降のデータ部分を削除するのにあたっても、コマ送り操作及びキャンセル決定／削除決定操作というユーザの使い勝手、及び不用意なデータ消去についての安全性確保を考慮した付加的な操作を除けば、基本的には、再生一時停止→削除キー操作という、簡単な操作によりこれを行えるものである。
なお、ここでいうデータ終端位置とは、トラック単位で見た場合のデータ終端位置とされるが、ここでは、データ終端位置の変更対象が最終トラックとされていることから、ディスクに記録されたユーザデータ（但しここでは、カメラモードトラックとしてのデータに限定される）の終端位置に対応することになる。
【０１２０】
６−２．動作概要２（インタビューモードトラックの場合）
続いて、メインダイヤル３００のポジションをインタビューモードとしている場合にデータ終端位置変更を行う場合の、その操作手順と操作に従った動作について、図１２を参照して説明する。ここで、インタビューモードにおいてデータ終端位置変更を行う場合の操作及び動作は、以降の説明から分かるように、図１１にて説明したカメラモード時に準ずるものである。
【０１２１】
インタビューモードでは、録音キー３１３を操作することによってマイクロフォンか２０２により収音した音声の記録が開始される。また、このマイクロフォン音声の記録中に、フォトキー３０４（又はレリーズキー３０１）を操作すると、そのタイミングで静止画を記録できる。そして再生／編集モードとしてインタビュートラックの再生を行ったときには、主体として音声を再生し、静止画記録操作を行ったときのタイミングで、順次静止画を切り換え表示していく。
【０１２２】
インタビューモードのときに再生／ポーズキー３０８を操作した場合、ディスクに記録されたトラックのうちから、最終トラックを選択する。
そして、この際には上記最終トラックとして、現在インタビューモードであることに対応して、インタビューモードによりディスクに記録されたインタビューモードトラックのうちで最終となるトラックが選択される。
そして、図１２（ａ）に示すようにして、この最終のインタビュートラックについての再生を実行する。このときには、インタビュートラックとしての再生音声が出力され、また、静止画は記録時のタイミングを表示開始タイミングとして切り替わっていくようにして表示が行われる。例えば、この図１２（ａ）に示す場合であれば、最終のインタビュートラックは、静止画１と静止画２が撮影記録されたものとされおり、静止画１は再生開始以降、再生時間ｔ１にて表示出力が行われ、再生時間ｔ２にて静止画２の表示に切り替わるものとしている。そして、静止画２の表示は、この場合、トラックの再生が終了されるまで継続される。
この図１２（ａ）にあっても、最終トラックの終端アドレスＡ２に続くアドレスＡ３以降のエリアを空きエリアとしている。
【０１２３】
そして、この場合にも、ユーザは、この最終トラック内の任意の再生位置で一時停止操作を行える。そして、ここでも、図１２（ａ）に示すポーズ位置Ｐｓｔにて、ユーザが一時停止操作を行ったとすれば、再生音声出力が一時停止された上で、一時停止操作時において静止画表示を行っていたのであれば、その静止画が継続表示される。図１２（ａ）の場合であれば、一時停止操作時には静止画２が表示されていたので、この静止画２が表示されることになる。
そして、インタビューモードにあっても、この状態の下で、ジョグダイヤル３０３の操作に対する回転操作を行うことで、音声についてのコマ送り的な操作を行うことができる。つまり、図１２（ｂ）に示すポーズ位置Ｐｓｔについては、音声データが記録されているアドレスに対応して変更を行うようにされるものである。
また、ここでは図示していないが、仮に、上記した音声コマ送り操作によってすポーズ位置Ｐｓｔについての変更が行われたとき、そのポーズ位置Ｐｓｔのアドレス（再生時間）に対応して表示させる静止画像が変わるのであれば、静止画像の表示についての切り換えも行うようにされる。
【０１２４】
そして、上記のようにしてポーズ位置Ｐｓｔについて調整を行って最終的にポーズ位置Ｐｓｔ２を設定したとして、削除キー３０２を操作すれば、この場合にも図１２（ｃ）に示すようにして、この最終的なポーズ位置ｐｓｔ２から最終トラックの終端アドレスＡ２の区間の音声データを繰り返し再生する。また、この区間に対応して表示すべき静止画があれば、この静止画も出力する。図１２に示す場合では、音声と共に、静止画２の表示が行われることにある。この場合にも、この繰り返し再生される区間のデータは、これより削除されるべきデータ部分となる。
【０１２５】
また、このときにも、表示画面上には、キャンセルボタンと削除決定ボタンとの２つのボタン表示を伴うダイアログが表示されており、このキャンセルボタンと削除決定ボタンに対する操作をジョグダイヤル３０３の回転操作と押圧操作により行うことができるようになっている。
そして、キャンセルボタンに対する操作を行えば、これまでの設定はキャンセルされて、通常のカメラモード下での記録スタンバイ状態に移行する。
一方、削除決定ボタンに対する操作を行えば、この場合にも、図１２（ｄ）に示すようにして、最終トラックのデータ区間としては、開始アドレスＡ１から、終端アドレスＡ２−１の区間となるように変更設定される。そして、このようにして変更された終端アドレスＡ２−１が、実際に最終トラックの終端アドレスとなるように、例えば管理情報（ＲＴＯＣ、ボリュームインデックストラック、スクリプトファイル等）の更新を行うことになる。
【０１２６】
この結果、図１２（ｄ）に示すようにして、アドレスＡ２−１に続く次のアドレスＡ２−２以降の領域は空きエリアとして管理される。そして、この最終トラックを再生すれば、その再生はアドレスＡ１からの音声再生を行い、この後再生時間ｔ１に至って静止画１の表示を再生時間ｔ２まで行う。そして再生時間ｔ２からは静止画２を表示して、終端アドレスＡ２−１に至って再生を終了することになる。
【０１２７】
６−３．処理動作
続いて、上記したデータ終端位置変更動作を実現するための処理動作について図１３のフローチャートを参照して説明する。
なお、ここでは、図１１にて説明したカメラモードの場合を例に挙げて説明することとする。また、この図に示す処理動作は、例えばビデオコントローラ３８がマスターコントローラとして機能したうえで、必要に応じて、データ処理／システムコントロール回路３１、カメラコントローラ２５、ドライバコントローラ４６等が制御処理を実行することにより実現される。
【０１２８】
先ず、ステップＳ１０１では、カメラモードを設定した状態としており、次のステップＳ１０２において、記録操作が行われたか否かを判別している。ここで、記録操作が行われていないことが判別されれば、ステップＳ１０３に進んで再生操作が行われたか否かについて判別を行う。そして再生操作が行われていないのであればステップＳ１０１に戻るようにされる。このステップＳ１０２及びステップＳ１０３により記録操作又は再生操作の待機をしている状態が、カメラモード下でのスタンバイ状態とされる。
【０１２９】
ここで、動画記録のためのレリーズキー３０１の操作、又は静止画記録のためのフォトキー３０４の操作が行われた場合には、ステップＳ１１４に進んで、静止画像を動画データ又は静止画データとしてディスクに記録するための制御処理を実行する。そして、次のステップＳ１１５では、記録終了であるか否かを判別して、記録終了であることが判別されない限りは、ステップＳ１１４に戻ることで記録動作を継続する。
ここで、例えばディスクにおける記録残量が無くなる、又は静止画記録であれば静止画の記録が完了する、更に、動画記録中に記録停止操作が行われるなどして記録終了すべきであることが判別された場合には、ステップＳ１１６に進んで記録終了のための制御処理（記録結果に応じた管理情報の更新等も含む）を実行して、ステップＳ１０１に戻るようにされる。つまりスタンバイ状態に移行する。
【０１３０】
またステップＳ１０３において再生／ポーズキー３０８に対する再生操作が行われたことが判別されたのであれば、ステップＳ１０４に進む。ステップＳ１０４では、カメラモードトラックとしての最終トラックの再生を開始させ、次のステップＳ１０５において、ポーズ操作が行われることが判別されるまで、ステップＳ１０４としての最終トラックの再生を実行する。このときには、再生データとしての動画像を表示パネル６７に対して表示させるための制御も実行している。
【０１３１】
ここで、例えば再度の再生／ポーズキー３０８に対する操作が行われてステップＳ１０５においてポーズ操作の有ったことが判別された場合、ステップＳ１０６に進む。
【０１３２】
ステップＳ１０６では、これまでの再生を一時停止させるための制御処理を実行する。このときには、一時停止操作時点が行われていたデータ位置であるポーズ位置Ｐｓｔにて、データ再生の停止を行うようにされる。また、このポーズ位置Ｐｓｔに対応するアドレスにより示されるデータを、静止画として表示パネル６７に表示出力するための表示制御も実行する。
次のステップＳ１０７においては、コマ送りのためのジョグダイヤル３０３に対する回転操作が行われたか否かを判別し、ジョグダイヤル操作が行われなければ、ステップＳ１０９に進んで、削除キー３０２に対する操作が行われたか否かを判別する。ここで削除キー３０２に対する操作が行われなければ、ステップＳ１０６の処理に戻ることでポーズ位置Ｐｓｔでの一時停止状態を維持する。
【０１３３】
ステップＳ１０７においてジョグダイヤル操作が行われた場合にはステップＳ１０８に進み、このジョグダイヤルの回転操作に応じて画像コマ送りのための制御処理を実行する。つまりは、図１１（ｂ）にて説明したように、ジョグダイヤルの回転操作に応じて、ポーズ位置Ｐｓｔを変更設定し、この変更されたポーズ位置に対応するアドレスのデータを画像として表示するものである。また、このステップＳ１０８の処理を実行して、ステップＳ１０９からステップＳ１０６の処理に戻った場合には、このコマ送りのための制御処理によって変更されたポーズ位置Ｐｓｔに対応するアドレスの画像データが表示されていることになる。
【０１３４】
そして、ステップＳ１０９において、削除キー３０２に対する操作が行われたことが判別された場合にはステップＳ１１０に進む。
ステップＳ１１０においては、図１１（ｃ）にて説明したように、最終的に設定されたポーズ位置Ｐｓｔより後ろのアドレスから開始されるトラック部分についてリピート再生するための制御処理を実行する。このときには、再生されたデータとしての画像が表示パネル６７に対して表示されているが、この表示画面に対して、図１１にても述べたように、キャンセルボタンと削除決定ボタンとを表示したダイアログ表示のための表示制御も実行している。
【０１３５】
そして、次のステップＳ１１１では、上記ステップＳ１１０の処理によって再生が行われている状態の下で、ダイアログ表示上のキャンセルボタンに対する操作、つまり、キャンセル決定操作が行われたか否かを判別している。
ここでキャンセル操作が行われたことが判別されたのであれば、ステップＳ１０１の処理に戻ることで、ここでは、カメラモードのスタンバイ状態に戻るようにしている。これに対してキャンセル操作が行われないことが判別された場合には、ステップＳ１１２に進む。
【０１３６】
ステップＳ１１２では、削除決定操作（ダイアログ表示上の決定ボタンに対する操作）が行われたか否かについて判別する。ここで削除決定操作が行われないと判別が行われれば、ステップＳ１１０に戻ることでポーズ位置Ｐｓｔより後ろのトラックデータのリピート再生を継続させる。これに対して削除決定操作が行われたことが判別されたのであれば、ステップＳ１１３に進むことで、ポーズ位置Ｐｓｔよりも後ろのトラックデータ部分を削除するための処理を実行する。つまりは、ポーズ位置Ｐｓｔよりも後ろの最終トラックのデータ部分が記録されているエリアが空き領域として管理されるように、所要の管理情報内容についての更新を行う。なお、このときには、データの削除が実行されたことを示す表示などを表示パネル６７に対して行うようにしてもよい。
そして、このステップステップＳ１１３の処理が完了すれば、ステップＳ１０１の処理に戻ることで、カメラモードとしてのスタンバイ状態に移行する。
【０１３７】
また、図１２に示したインタビューモードでのデータ終端位置変更動作のための処理動作も図１３に示した処理に準ずればよい。但しこの場合には、ステップＳ１０１にてインタビューモードを設定しているようにされた上で、ステップＳ１０４においては、インタビューモードトラックの最終トラックを再生する。また、このときの再生動作としてはインタビューモードトラックとしての音声／静止画の出力が行われるように再生制御処理を実行するようにされる。
また、ステップＳ１０２における記録操作の有無の判別は、例えば録音キー３１３の操作の有無に応じて行われ、記録操作があったとされる場合には、インタビューモードに従っての記録動作がステップＳ１１４にて実行される。
また、例えば、カメラモード（又はインタビューモード）以外の他のモードが設定されれば、この図１３に示すルーチンを抜けることになる。
【０１３８】
なお、データ終端位置変更編集としては、例えば、より簡易な操作としたいのであれば、コマ送り操作の過程は省略してもよいものである。
また、本実施の形態のデータ終端位置変更編集としては、例えば、所定操作によって呼び出した編集メニューのうちからデータ終端位置変更編集を選択して、或るトラックについてのデータ終端位置変更編集が行えるようにしても構わない。
但し、上記したように、カメラモード又はインタビューモードという記録可能なモード下で行えるようにすれば、ユーザが記録を行うつもりでカメラモード又はインタビューモードとしているときに、特に他の編集モードに移行させるような操作を行うことなく、単に再生操作を行うという操作で編集可能なモード状態となるため、それだけ、機器の使い勝手、利便性としては有利となるものである。
また、データ終端位置変更編集の対象とするトラックは、ユーザの操作によって任意に選択可能に構成しても構わないものであるが、上記したようにして、最終トラックを編集対象とするようにすれば、次に撮影記録するシーンを想定して、このシーンにつながる現在最終とされるトラックについての編集が即座に行えることになるため、この点でも、ユーザの使い勝手の向上が図られているものである。
【０１３９】
また、上記した例では、ポーズ位置Ｐｓｔに対応して終端アドレスを変更する構成が示されているが、これとは逆にポーズ位置Ｐｓｔに対応して、そのポーズ位置Ｐｓｔにより指定されたアドレスを含むトラックの開始アドレスを変更する、つまり、ポーズ位置Ｐｓｔより前に在るとされるトラックデータを削除するように構成することも可能である。
【０１４０】
７．トリミング動作
本実施の形態としては、上記のように、トラックの終端アドレスを変更するだけではなく、その開始アドレスを変更できるように構成することも可能とされる。
この考えからいけば、開始アドレスを変更する場合として、上記した終端アドレスの変更も同じ操作過程で行えるようにすることも考えられる。
このための操作及び動作としては、再生データにおける２点の位置を指定するようにされる。そして、この２点のうち前にあるとされる指定位置に基づいて開始アドレスの変更を行い、後ろにあるとされる指定位置に基づいて終端アドレスについての変更を行うようにされる。つまり、指定した２点間のデータについては削除し、２点間のデータをトリミングするようにして新規のトラックデータとするものである。
そこで、このようなトリミング編集例について、図１４を参照して説明する。
【０１４１】
ここで、図１４（ａ）に示すようにして、ディスクに記録されているトラックとして、或るトラック＃Ｎについて再生を開始させたとする。このトラックは、例えば図のように、開始アドレスＡ２、終端アドレスＡ７とされており、開始アドレスＡ２から再生が開始される。
このようにしてトラック＃Ｎが再生されているときに、ユーザは所定のキー操作等によって、２点を指定することができるものとされる。そして、この図にあっては、データの再生時間的に開始アドレスＡ２より後ろとされるアドレスＡ３に対応するデータ位置にて１回目の位置指定操作をおこなったことで、Ａ点についての指定が行われている。
このＡ点指定の後もトラック再生動作は継続される。そしてこの状態の下、ユーザが２回目の位置指定操作を行うとＢ点が指定されることになる。この図では、アドレスＡ５に対応する位置にてＢ点が指定された様子が示される。
【０１４２】
このようにしてＡ−Ｂの２点が指定された後、例えば削除キー３０２に対する操作などを伴う所定操作によって削除の決定が行われると、図１４（ｂ）に示すようにして、トラック＃Ｎの開始アドレスはアドレスＡ２から、Ａ点に対応するアドレスＡ４に変更設定される。また、終端アドレスは、アドレスＡ７から、Ｂ点に対応するアドレスＡ５に変更設定されるように、管理情報についての書き換えが行われる。
そして、これに伴って、アドレスＡ４の前のトラックデータであったアドレスＡ２−Ａ３のデータ区間と、アドレスＡ５より後ろのトラックデータであったアドレスＡ６−Ａ７のデータ区間は空きエリアとなるように管理情報上で管理が行われるようにされる。つまり、元のトラックデータからは削除されたものとして扱われる。
【０１４３】
このような操作であれば、データ再生を行って２点間を指定する操作を行い、この後、削除決定のための操作を行うという簡略な操作手順によって、元のトラックの中間部分のデータを抜き出す（トリミングする）ようにして、新規トラックを形成するという編集を行うことが可能になる。
そして、再生時においては、トラック＃Ｎの前のトラック＃Ｎ−１の再生がアドレスＡ１にて終了すると、アドレス＃Ｎの再生は、アドレスＡ４から開始されてアドレスＡ５にて終了するようにされる。そして、続けては、アドレスＡ６よりトラック＃Ｎ＋１の再生が開始される。
【０１４４】
なお、上記図１４に示したトリミング編集としても、先に図１１及び図１２にて説明したような、コマ送り操作によってＡ点とＢ点についての微調整が行えるように構成してよいものである。このトリミング編集としては、任意のトラックを選択して編集可能とすればよいが、先のデータ終端位置変更編集と同様に、カメラモード又はインタビューモードの下で再生操作が行われたら、最終トラックを対象として編集が行われるようにすることも考えられる。
また、トリミング編集としては、再生順が連続する複数のトラックに跨ってＡ点−Ｂ点の区間を設定できるように構成することも可能である。この場合には、ディスクに記録されている全トラックデータ（実施の形態としては同一のモードトラックにおける全トラックとなる）のうち、Ａ点−Ｂ点区間以外のデータを削除するというトリミングの仕方を考えることができる。
【０１４５】
また、これまで説明してきたデータ終端位置変更編集及びトリミング編集は、動画／音声が記録再生されるカメラモードトラック、及び音声主体で静止画が付随するインタビューモードトラックについて編集を行う場合を例に挙げたが、本発明のデータ終端位置変更編集及びトリミング編集としては、音声のみのオーディオトラックを編集対象とする場合にも適用が可能とされる。
【０１４６】
また、画像／音声に関するトラックだけではなく、例えばテキストデータ等の文字情報のファイルについても適用が可能とされる。例えば現状にあっては、音声認識機能が向上して、認識した音声を文字情報ファイルに変換することも行われている。
このようにして作成される文字情報ファイルについて、本発明としてのデータ終端位置変更編集及びトリミング編集を適用すれば、その校正作業を簡易な操作で行うことが可能になるものである。
【０１４７】
また、上記実施の形態にあっては、データが記録再生されるメディアはディスク状記録媒体としているが、近年普及してきている、メモリ素子を媒体とするメモリ媒体に対しても適用が可能である。例えば、メモリ媒体としては、記憶データをいわゆるＦＡＴ(File Allocation Table)により管理するのであるが、本発明の適用によりデータ終端位置変更編集及びトリミング編集を行う場合には、このＦＡＴの内容を更新することになる。
【０１４８】
【発明の効果】
以上説明したように本発明は、データ再生を行っているときに、例えば停止操作によって停止（一時停止）されたデータ位置に対応する停止位置対応アドレスに基づいて、新規のデータの終端アドレス又は開始アドレスを決定し、この決定された終端アドレス又は開始アドレスに基づいて管理情報を更新するようにされる。
【０１４９】
例えば、管理情報によって記録されないテープメディアに対応する装置においては、このような編集は情報の上書き又は消去を実際にテープに対して行う必要があるが、本発明では、再生が停止されたデータ位置に基づいて変更される終端アドレス又は開始アドレスの情報を管理情報上で更新するという処理によって行うことができる。つまりは、管理情報の更新というデータに直接処理を施さない手法を採ることで、簡単な操作手順によって、終端アドレス又は開始アドレスの変更という編集を行うことが可能とされるものである。
【０１５０】
また、記録媒体上でデータが管理情報により管理されるシステムにおいて、上記のような終端アドレス又は開始アドレスの変更編集と同じ編集結果を得るには、例えば先ず、編集対象となるデータについて分割を行うための操作を行い、この後分割されたデータの一方を削除するという操作手順を踏む必要があったが、本発明では、基本的には、停止操作によって再生停止状態とした上で、データ削除のための操作を行うという非常に簡易な操作により実現することが可能になる。
【０１５１】
そして上記構成のもとで、削除指示のための操作がおこなわれた場合に、管理情報の更新、つまり、データ削除を実行するように構成すれば、ユーザとしては削除指示操作によってデータ削除を実行させることができるため、例えば、ふとした操作ミスによって、不用意にデータ削除を実行させてしまうような事故を防止することが可能になる。
【０１５２】
また、データを記録可能な記録モード（カメラモード／インタビューモード）の下で、上記した終端アドレス又は開始アドレスの変更編集が行われるように構成すれば、ユーザが撮影を行うために記録モードを設定している状況でも、特に、編集モードへの切換操作を行うことなく、記録モードを設定したままで編集操作を行うことができ、それだけ使い勝手の向上が図られる。
【０１５３】
また、本発明としては、記録モードとして例えばカメラモードとインタビューモードのように複数のモードが設定可能な場合には、ディスクに記録されているデータのうちから、現在設定されているモードによって記録されたデータを選択するように構成される。この場合には設定されている記録モードと、選択されるデータの種類とが対応することになるので、この点でも編集上での使い勝手は向上される。
【０１５４】
また、編集対象となるデータとしては、最終のプログラム（トラック）として管理されているデータを再生するように構成される。例えば実際の使用にあっては、これより記録するデータは、この最終プログラムに続くデータであり、従って、ユーザが編集したいプログラムとしては最終プログラムである可能性が高い。そこで、上記のようにして先ずは最終トラックを再生させて即座に編集が行えるようにしておけば、それだけ、本発明の編集機能を有用なものとすることができる。
【０１５５】
また、データ再生を停止させた後に、このときの停止位置対応アドレス（ポーズ位置）を移動させるようにして変更する操作が行えるようにすれば、編集のためのデータの削除位置について微調整を行うことが可能になり、よりユーザにとって満足のいく編集結果が得られるようにすることができる。
【０１５６】
また、設定された停止位置対応アドレス（ポーズ位置）より後ろ又は前のデータ部分を再生するようにすれば、ユーザはこの再生出力によって、自分が設定したポーズ位置（つまり削除位置）が思い通りのものか確認することができる。
さらに、このデータ部分の再生を繰り返し行うようにしておくことによって、ユーザは、じっくりと確認を行うことができるものである。
【０１５７】
また、本発明としては、再生されるデータに対して２点のデータ位置を指定する操作を行うことで、この２点のデータ位置に基づいて、データの開始アドレス及び終端アドレスを変更設定することが可能とされる。つまりは、再生データに対して２点間の指定を行えば、この指定された２点間に対応する開始アドレス−終端アドレスの区間をトリミングして、残る前後のデータ部分については、削除するという編集をおこなうことが可能とされるものである。
この場合にも、このような編集をテープメディアで行う場合よりも容易に編集が行え、また、データの分割操作後に削除の操作を行うといった段階を踏んだデータ編集操作も要しないものである。
【図面の簡単な説明】
【図１】本発明の実施の形態のビデオカメラに対応するディスクのトラック構造を示す説明図である。
【図２】実施の形態のビデオカメラに対応するディスクのトラック部分を拡大して示す説明図である。
【図３】実施の形態のビデオカメラに対応するディスクの仕様を示す説明図である。
【図４】実施の形態のビデオカメラの内部構成のブロック図である。
【図５】実施の形態のビデオカメラのメディアドライブ部の内部構成のブロック図である。
【図６】実施の形態のビデオカメラの側面図及び平面図である。
【図７】実施の形態のビデオカメラの正面図及び背面図である。
【図８】可動パネル部の動きを示す斜視図である。
【図９】実施の形態に対応するディスク内のデータ構造例を示す概念図である。
【図１０】実施の形態に対応するディスク内のデータ構造例を、ディスクの物理領域に対応させて示す概念図である。
【図１１】本実施の形態のデータ終端位置変更編集（カメラモード）の操作手順及び動作を示す説明図である。
【図１２】本実施の形態のデータ終端位置変更編集（インタビューモード）の操作手順及び動作を示す説明図である。
【図１３】データ終端位置変更編集を実現するための処理動作を示すフローチャートである。
【図１４】本実施の形態のトリミング編集の操作手順及び動作を示す説明図である。
【符号の説明】
１  レンズブロック、２  カメラブロック、３  ビデオ信号処理部、４  メディアドライブ部、５  デッキ部、６  表示／画像／音声入出力部、６Ａ  表示部、６Ｂ  タッチパネル、７  操作部、８  外部インターフェイス、９  電源ブロック、１１  光学系、１２  モータ部、２２  サンプルホールド／ＡＧＣ回路、２３  Ａ／Ｄコンバータ、２４  タイミングジェネレータ、２５  カメラコントローラ、３１  データ処理／システムコントロール回路、３２  バッファメモリ、３３  ビデオ信号処理回路、３４  メモリ、３５  動き検出回路、３６  メモリ、３７  音声圧縮エンコーダ／デコーダ、３８  ビデオコントローラ、４１  ＭＤ−ＤＡＴＡ２エンコーダ／デコーダ、４２  バッファメモリ、４３  二値化回路、４４  ＲＦ信号処理回路、４５  サーボ回路、４６  ドライバコントローラ、５１  ディスク、５２  スピンドルモータ、５３  光学ヘッド、５４  磁気ヘッド、５５  スレッドモータ、６１  ビデオＤ／Ａコンバータ、６２  表示コントローラ、６３  コンポジット信号処理回路、６４  Ａ／Ｄコンバータ、６５Ｄ／Ａコンバータ、６６  アンプ、１０１  ＲＦアンプ、１０３  ＡＧＣ／クランプ回路、１０４  イコライザ／ＰＬＬ回路、１０５  ビタビデコーダ、１０６  ＲＬＬ（１，７）復調回路、１０７  マトリクスアンプ、１０８  ＡＤＩＰバンドパスフィルタ、１０９  Ａ／Ｂトラック検出回路、１１０  ＡＤＩＰデコーダ、１１１  ＣＬＶプロセッサ、１１２  サーボプロセッサ、１１３  サーボドライバ、１１４  データバス、１１５  スクランブル／ＥＤＣエンコード回路、１１６  ＥＣＣ処理回路、１１７  デスクランブル／ＥＤＣデコード回路、１１８  ＲＬＬ（１，７）変調回路、１１９  磁気ヘッド駆動回路、１２０  レーザドライバ、１２１  転送クロック発生回路、２０１  カメラレンズ、２０２マイクロフォン、２０３  可動パネル部、２０４  ビューファインダ、２０５  スピーカ、３００  メインダイヤル、３０１  レリーズキー、３０２  削除キー、３０３  ジョグダイヤル、３０４  フォトキー、３０５  ズームキー、３０６  フォーカスキー、３０７  逆光補正キー、３０８  再生／ポーズキー、３０９  停止キー、３１０  スロー再生キー、３１１，３１２  サーチキー、３１３  録音キー、３１４  画面表示キー、３１５，３１６  音量キー、３２０  ペン、Ｌｄ  ランド、ＮＷＧ  ノンウォブルドグルーブ、ＷＧ  ウォブルドグルーブ、Ｔｒ・Ａ，Ｔｒ・Ｂ  トラック
【図１】
0004592844.tif 000002
【図２】
0004592844.tif 000003
【図３】
0004592844.tif 000004
【図４】
0004592844.tif 000005
【図５】
0004592844.tif 000006
【図６】
0004592844.tif 000007
【図７】
0004592844.tif 000008
【図８】
0004592844.tif 000009
【図９】
0004592844.tif 000010
【図１０】
0004592844.tif 000011
【図１１】
0004592844.tif 000012
【図１２】
0004592844.tif 000013
【図１３】
0004592844.tif 000014
【図１４】
0004592844.tif 000015